(57)【要約】【課題】挿入損失の増加を抑制しながらバンドパスフィルタを小型化する。【解決手段】バンドパスフィルタは、１段目ないし６段目の共振器５１〜５６を備えている。各共振器は、導体の線路によって構成された共振器導体部を有している。共振器導体部は、線路の両端である第１端および第２端を含んでいる。１段目と６段目の共振器の共振器導体部は、細幅部と、細幅部と第１端の間に位置する第１の幅広部と、細幅部と第２端の間に位置する第２の幅広部とを含んでいる。１段目と６段目の共振器は、他の共振器よりも無負荷Ｑが小さい。【選択図】図１１
2020057920.tif 000002
【特許請求の範囲】
【請求項１】
誘電体よりなる本体と、
前記本体に一体化された第１の入出力ポートおよび第２の入出力ポートと、
前記本体内に設けられていると共に、回路構成上前記第１の入出力ポートと前記第２の入出力ポートの間に設けられ、回路構成上隣接する２つの共振器が電磁結合するように構成されたｎ個の共振器とを備えたバンドパスフィルタであって、
前記ｎは、３以上の整数であり、
前記ｎ個の共振器は、少なくとも一対の、回路構成上隣接していない第１の共振器および第２の共振器と、回路構成上前記第１の共振器と前記第２の共振器の間に位置する第３の共振器とを含み、
前記ｎ個の共振器のうち、回路構成上、前記第１の入出力ポートにｉ番目に近い共振器をｉ段目の共振器としたとき、前記第１の共振器は、ｉの値が（ｎ＋１）／２よりも小さいｉ段目の共振器であり、前記第２の共振器は、ｉの値が（ｎ＋１）／２よりも大きいｉ段目の共振器であり、
前記第１の共振器は、導体の線路によって構成された第１の共振器導体部を有し、
前記第２の共振器は、導体の線路によって構成された第２の共振器導体部を有し、
前記第３の共振器は、導体の線路によって構成された第３の共振器導体部を有し、
前記第１ないし第３の共振器導体部の各々は、線路の両端である第１端および第２端を含み、
前記第１および第２の共振器導体部の各々は、細幅部と、前記細幅部と前記第１端の間に位置する第１の幅広部と、前記細幅部と前記第２端の間に位置する第２の幅広部とを含み、前記細幅部は、前記第１端と前記第２端を結ぶ最短経路に直交する方向の寸法である幅が、前記第１および第２の幅広部よりも小さく、
前記第１および第２の共振器の各々は、前記第３の共振器よりも無負荷Ｑが小さいことを特徴とするバンドパスフィルタ。
【請求項２】
前記第１ないし第３の共振器の各々は、両端開放型共振器であることを特徴とする請求項１記載のバンドパスフィルタ。
【請求項３】
前記第３の共振器導体部は、前記第１端における幅および前記第２端における幅よりも小さい幅を有する部分を含まないことを特徴とする請求項１または２記載のバンドパスフィルタ。
【請求項４】
前記第１および第２の共振器導体部の各々は、前記最短経路が前記第３の共振器導体部よりも短いことを特徴とする請求項１ないし３のいずれかに記載のバンドパスフィルタ。
【請求項５】
前記第１の共振器は、１段目の共振器であり、
前記第２の共振器は、ｎ段目の共振器であることを特徴とする請求項１ないし４のいずれかに記載のバンドパスフィルタ。
【請求項６】
前記ｎは、５以上の整数であり、
前記ｎ個の共振器は、前記第１の共振器と第２の共振器の第１の対と、前記第１の共振器と第２の共振器の第２の対を含み、
前記第１の対の前記第１の共振器は、１段目の共振器であり、
前記第１の対の前記第２の共振器は、ｎ段目の共振器であり、
前記第２の対の前記第１の共振器は、２段目の共振器であり、
前記第２の対の前記第２の共振器は、ｎ−１段目の共振器であることを特徴とする請求項１ないし４のいずれかに記載のバンドパスフィルタ。
【発明の詳細な説明】
【技術分野】
【０００１】
本発明は、複数の共振器を含むバンドパスフィルタに関する。
【背景技術】
【０００２】
現在、第５世代移動通信システム（以下、５Ｇと言う。）の規格化が進められている。５Ｇでは、周波数帯域を拡大するために、１０ＧＨｚ以上の周波数帯域、特に、１０〜３０ＧＨｚの準ミリ波帯や３０〜３００ＧＨｚのミリ波帯の利用が検討されている。
【０００３】
通信装置に用いられる電子部品の一つには、複数の共振器を備えたバンドパスフィルタがある。複数の共振器の各々は、例えば、一方向に長い導体部を有している。
【０００４】
特許文献１には、準ミリ波帯やミリ波帯での使用が可能なチップ型多段フィルタ装置が記載されている。このチップ型多段フィルタ装置は、複数の誘電体層を積層してなる多層基板と、第１および第２の表面グラウンド電極と、第１および第２の内部グラウンド電極と、第１および第２のλ／２共振器電極とを備えている。多層基板は、対向する第１および第２の主面と、第１および第２の主面を連結する第１ないし第４の側面を有している。第１の側面と第２の側面は対向している。第１の表面グラウンド電極は、第１の側面に設けられている。第２の表面グラウンド電極は、第２の側面に設けられている。第１の内部グラウンド電極は、多層基板内において、第１の主面に相対的に近い誘電体層に設けられている。第２の内部グラウンド電極は、多層基板内において、第２の主面に相対的に近い誘電体層に設けられている。第１および第２のλ／２共振器電極は、第１および第２の表面グラウンド電極と第１および第２の内部グラウンド電極によって囲まれた領域に配置されている。
【０００５】
特許文献２には、複数の共振器からなるバンドパスフィルタであって、各共振器を、低インピーダンス線路、高インピーダンス線路および低インピーダンス線路がこの順に接続された構成としたバンドパスフィルタが記載されている。上記の構成の共振器は、ステップドインピーダンス共振器（以下、ＳＩＲと記す。）の一種である。
【先行技術文献】
【特許文献】
【０００６】
【特許文献１】特許第４５３９４２２号公報
【特許文献２】特開２００３−６９３０６号公報
【発明の概要】
【発明が解決しようとする課題】
【０００７】
特に小型の通信装置に用いられるバンドパスフィルタには、小型化が求められる。しかし、特許文献１に記載されているような複数の１／２波長共振器を含むバンドパスフィルタでは、１／２波長共振器が長いため、小型化することが難しいという問題点があった。
【０００８】
１／２波長共振器として、特許文献２に記載されているようなＳＩＲを用いることによって、１／２波長共振器を短くすることができる。しかし、ＳＩＲは、幅が一定の導体の線路よりなる共振器に比べて無負荷Ｑが小さい。共振器の無負荷Ｑが小さくなると、バンドパスフィルタの挿入損失が大きくなる。そのため、特許文献２に記載されているように、複数の共振器の全てをＳＩＲにすると、バンドパスフィルタの挿入損失が大きくなりすぎるおそれがある。
【０００９】
本発明はかかる問題点に鑑みてなされたもので、その目的は、複数の共振器を含むバンドパスフィルタであって、挿入損失の増加を抑制しながら小型化できるようにしたバンドパスフィルタを提供することにある。
【課題を解決するための手段】
【００１０】
本発明のバンドパスフィルタは、誘電体よりなる本体と、本体に一体化された第１の入出力ポートおよび第２の入出力ポートと、ｎ個の共振器とを備えている。ｎは、３以上の整数である。ｎ個の共振器は、本体内に設けられていると共に、回路構成上第１の入出力ポートと第２の入出力ポートの間に設けられ、回路構成上隣接する２つの共振器が電磁結合するように構成されている。
【００１１】
ｎ個の共振器は、少なくとも一対の、回路構成上隣接していない第１の共振器および第２の共振器と、回路構成上第１の共振器と第２の共振器の間に位置する第３の共振器とを含んでいる。ｎ個の共振器のうち、回路構成上、第１の入出力ポートにｉ番目に近い共振器をｉ段目の共振器としたとき、第１の共振器は、ｉの値が（ｎ＋１）／２よりも小さいｉ段目の共振器であり、第２の共振器は、ｉの値が（ｎ＋１）／２よりも大きいｉ段目の共振器である。
【００１２】
第１の共振器は、導体の線路によって構成された第１の共振器導体部を有している。第２の共振器は、導体の線路によって構成された第２の共振器導体部を有している。第３の共振器は、導体の線路によって構成された第３の共振器導体部を有している。第１ないし第３の共振器導体部の各々は、線路の両端である第１端および第２端を含んでいる。第１および第２の共振器導体部の各々は、細幅部と、細幅部と第１端の間に位置する第１の幅広部と、細幅部と第２端の間に位置する第２の幅広部とを含んでいる。細幅部は、第１端と第２端を結ぶ最短経路に直交する方向の寸法である幅が、第１および第２の幅広部よりも小さい。第１および第２の共振器の各々は、第３の共振器よりも無負荷Ｑが小さい。
【００１３】
本発明のバンドパスフィルタにおいて、第１ないし第３の共振器の各々は、両端開放型共振器であってもよい。
【００１４】
また、本発明のバンドパスフィルタにおいて、第３の共振器導体部は、第１端における幅および第２端における幅よりも小さい幅を有する部分を含まないものであってもよい。
【００１５】
また、本発明のバンドパスフィルタにおいて、第１および第２の共振器導体部の各々は、最短経路が第３の共振器導体部よりも短くてもよい。
【００１６】
また、本発明のバンドパスフィルタにおいて、第１の共振器は１段目の共振器であってもよく、第２の共振器はｎ段目の共振器であってもよい。
【００１７】
また、本発明のバンドパスフィルタにおいて、ｎは、５以上の整数であってもよい。この場合、ｎ個の共振器は、第１の共振器と第２の共振器の第１の対と、第１の共振器と第２の共振器の第２の対を含んでいてもよい。第１の対の第１の共振器は１段目の共振器であってもよく、第１の対の第２の共振器はｎ段目の共振器であってもよい。第２の対の第１の共振器は２段目の共振器であってもよく、第２の対の第２の共振器はｎ−１段目の共振器であってもよい。
【発明の効果】
【００１８】
本発明のバンドパスフィルタでは、第１および第２の共振器導体部の各々は細幅部を含み、第１および第２の共振器の各々は第３の共振器よりも無負荷Ｑが小さい。また、第１の共振器は、ｉの値が（ｎ＋１）／２よりも小さいｉ段目の共振器であり、第２の共振器は、ｉの値が（ｎ＋１）／２よりも大きいｉ段目の共振器である。これらのことから、本発明のバンドパスフィルタによれば、挿入損失の増加を抑制しながら小型化することが可能になるという効果を奏する。
【図面の簡単な説明】
【００１９】
【図１】本発明の第１の実施の形態に係るバンドパスフィルタの構造を示す斜視図である。
【図２】本発明の第１の実施の形態に係るバンドパスフィルタの回路構成を示す回路図である。
【図３】図１に示した積層体における１層目の誘電体層のパターン形成面を示す説明図である。
【図４】図１に示した積層体における２層目および３層目の誘電体層のパターン形成面を示す説明図である。
【図５】図１に示した積層体における４層目の誘電体層のパターン形成面を示す説明図である。
【図６】図１に示した積層体における５層目ないし８層目の誘電体層のパターン形成面を示す説明図である。
【図７】図１に示した積層体における９層目の誘電体層のパターン形成面を示す説明図である。
【図８】図１に示した積層体における１０層目の誘電体層のパターン形成面を示す説明図である。
【図９】図１に示した積層体における１１層目ないし１８層目の誘電体層のパターン形成面を示す説明図である。
【図１０】図１に示した積層体における１９層目の誘電体層のパターン形成面を示す説明図である。
【図１１】本発明の第１の実施の形態における複数の共振器導体部の構成を説明するための説明図である。
【図１２】本発明の第１の実施の形態に係るバンドパスフィルタに関するシミュレーションの結果を示す特性図である。
【図１３】図１２の一部を拡大して示す特性図である。
【図１４】本発明の第１の実施の形態に係るバンドパスフィルタの挿入損失および反射損失の周波数特性の一例を示す特性図である。
【図１５】本発明の第２の実施の形態に係るバンドパスフィルタの構造を示す斜視図である。
【図１６】本発明の第２の実施の形態に係るバンドパスフィルタの回路構成を示す回路図である。
【図１７】図１５に示した積層体における１層目の誘電体層のパターン形成面を示す説明図である。
【図１８】図１５に示した積層体における２層目ないし４層目の誘電体層のパターン形成面を示す説明図である。
【図１９】図１５に示した積層体における５層目の誘電体層のパターン形成面を示す説明図である。
【図２０】図１５に示した積層体における６層目ないし９層目の誘電体層のパターン形成面を示す説明図である。
【図２１】図１５に示した積層体における１０層目の誘電体層のパターン形成面を示す説明図である。
【図２２】図１５に示した積層体における１１層目の誘電体層のパターン形成面を示す説明図である。
【図２３】図１５に示した積層体における１２層目ないし１８層目の誘電体層のパターン形成面を示す説明図である。
【図２４】図１５に示した積層体における１９層目の誘電体層のパターン形成面を示す説明図である。
【図２５】本発明の第２の実施の形態における複数の共振器導体部の構成を説明するための説明図である
【図２６】本発明の第２の実施の形態に係るバンドパスフィルタに関するシミュレーションの結果を示す特性図である。
【図２７】図２６の一部を拡大して示す特性図である。
【図２８】本発明の第２の実施の形態に係るバンドパスフィルタの挿入損失および反射損失の周波数特性の一例を示す特性図である。
【発明を実施するための形態】
【００２０】
［第１の実施の形態］
以下、本発明の実施の形態について図面を参照して詳細に説明する。始めに、図１および図２を参照して、本発明の第１の実施の形態に係るバンドパスフィルタの構成について説明する。図１は、本実施の形態に係るバンドパスフィルタの構造を示す斜視図である。図２は、本実施の形態に係るバンドパスフィルタの回路構成を示す回路図である。
【００２１】
図１に示したように、本実施の形態に係るバンドパスフィルタ１は、誘電体よりなる本体２と、本体２に一体化された第１の入出力ポート３および第２の入出力ポート４と、本体２内に設けられたｎ個の共振器と、シールド６と、仕切り部７と、結合調整部８とを備えている。ｎは、３以上の整数である。シールド６は、導体よりなり、本体２に一体化されている。また、シールド６は、グランドに接続されている。シールド６は、バンドパスフィルタ１の周囲へ電磁波が放射されることを防止する機能を有する。仕切り部７と結合調整部８の各々は、導体よりなり、本体２内に設けられて、シールド６に電気的に接続されている。
【００２２】
本体２は、積層された複数の誘電体層からなる積層体２０を含んでいる。ここで、図１に示したように、Ｘ方向、Ｙ方向およびＺ方向を定義する。Ｘ方向、Ｙ方向およびＺ方向は、互いに直交する。本実施の形態では、複数の誘電体層の積層方向（図１では上側に向かう方向）を、Ｚ方向とする。
【００２３】
本体２は、直方体形状を有している。本体２は、Ｚ方向における本体２の両端に位置する第１の端面２Ａおよび第２の端面２Ｂと、第１の端面２Ａと第２の端面２Ｂを接続する４つの側面２Ｃ，２Ｄ，２Ｅ，２Ｆを有している。第１の端面２Ａは、本体２の下面でもある。第２の端面２Ｂは、本体２の上面でもある。側面２Ｃ，２Ｄは、Ｙ方向における本体２の両端に位置している。側面２Ｅ，２Ｆは、Ｘ方向における本体２の両端に位置している。
【００２４】
ｎ個の共振器は、回路構成上、第１の入出力ポート３と第２の入出力ポート４の間に設けられている。また、ｎ個の共振器は、回路構成上隣接する２つの共振器が電磁結合するように構成されている。なお、本出願において、「回路構成上」という表現は、物理的な構成における配置ではなく、回路図上での配置を指すために用いている。
【００２５】
図２に示したように、本実施の形態では特に、ｎは６であり、ｎ個の共振器は、６個の共振器５１，５２，５３，５４，５５，５６である。６個の共振器５１，５２，５３，５４，５５，５６は、回路構成上、第１の入出力ポート３側からこの順に配置されている。共振器５１〜５６は、共振器５１，５２が回路構成上隣接して電磁結合し、共振器５２，５３が回路構成上隣接して電磁結合し、共振器５３，５４が回路構成上隣接して電磁結合し、共振器５４，５５が回路構成上隣接して電磁結合し、共振器５５，５６が回路構成上隣接して電磁結合するように構成されている。また、本実施の形態では特に、回路構成上隣接する２つの共振器の間の電磁結合は、容量結合である。また、本実施の形態では特に、共振器５１〜５６の各々は、両端開放型共振器であり且つ１／２波長共振器である。
【００２６】
バンドパスフィルタ１は、共振器５１，５２間の容量結合を実現するキャパシタＣ１２と、共振器５２，５３間の容量結合を実現するキャパシタＣ２３と、共振器５３，５４間の容量結合を実現するキャパシタＣ３４と、共振器５４，５５間の容量結合を実現するキャパシタＣ４５と、共振器５５，５６間の容量結合を実現するキャパシタＣ５６とを備えている。
【００２７】
ここで、回路構成上隣接する２つの共振器が結合するように構成された３つ以上の共振器を備えたバンドパスフィルタにおける、回路構成上隣接しない２つの共振器の間の電磁結合を飛び越し結合と言う。本実施の形態に係るバンドパスフィルタ１は、以下で説明するように、２つの飛び越し結合を有している。
【００２８】
本実施の形態では、６個の共振器５１〜５６のうち回路構成上第１の入出力ポート３に対して２番目に近い共振器５２と、６個の共振器５１〜５６のうち回路構成上第２の入出力ポート４に対して２番目に近い共振器５５は、回路構成上隣接していないが磁気結合している。
【００２９】
また、本実施の形態では、６個の共振器５１〜５６のうち回路構成上第１の入出力ポート３に最も近い共振器５１と、６個の共振器５１〜５６のうち回路構成上第２の入出力ポート４に最も近い共振器５６は、回路構成上隣接していないが容量結合している。図２において、符号Ｃ１６を付したキャパシタの記号は、共振器５１，５６間の容量結合を表している。
【００３０】
バンドパスフィルタ１は、更に、第１の入出力ポート３と共振器５１との間に設けられたキャパシタＣ１と、第２の入出力ポート４と共振器５６との間に設けられたキャパシタＣ２とを備えている。
【００３１】
バンドパスフィルタ１は、更に、通過帯域よりも高い所定の周波数（以下、ノッチ周波数と言う。）の信号を減衰させるためのノッチフィルタ部を備えている。このノッチフィルタ部は、導体よりなる２つの線路９１，９２を備えている。線路９１，９２の各々は、互いに反対側に位置する第１端と第２端を有している。線路９１の第１端は第１の入出力ポート３に接続され、線路９１の第２端は開放されている。線路９２の第１端は第２の入出力ポート４に接続され、線路９２の第２端は開放されている。線路９１，９２の各々は、ノッチ周波数に対応する波長の１／４またはそれに近い長さを有している。線路９１，９２の各々は、ノッチ周波数で共振する１／４波長共振器である。ノッチ周波数は、例えば、バンドパスフィルタ１の通過帯域の中心周波数の２倍の周波数である。
【００３２】
シールド６は、Ｚ方向について間隔を開けて配置された第１の部分６１および第２の部分６２と、第１の部分６１と第２の部分６２を接続する接続部６３とを含んでいる。第１の部分６１、第２の部分６２および接続部６３は、６個の共振器５１〜５６を囲むように配置されている。
【００３３】
積層体２０は、主要部２１と被覆部２２とを含んでいる。主要部２１は、積層体２０を構成する複数の誘電体層のうちの、積層された２つ以上の誘電体層によって構成されている。被覆部２２は、積層体２０を構成する複数の誘電体層のうちの、主要部２１を構成する２つ以上の誘電体層以外の１つ以上の誘電体層によって構成されている。主要部２１は、２つ以上の誘電体層の積層方向における両端に位置する第１の端面２１ａと第２の端面２１ｂを有している。被覆部２２は、第２の端面２１ｂを覆っている。主要部２１の第１の端面２１ａは、本体２の第１の端面２Ａと一致している。主要部２１の第２の端面２１ｂは、本体２の内部に位置している。
【００３４】
第１の部分６１は、第１の端面２１ａに配置された第１の導体層３１３によって構成されている。第２の部分６２は、第２の端面２１ｂに配置された第２の導体層４９１によって構成されている。第２の部分６２は、主要部２１と被覆部２２の間に介在している。
【００３５】
共振器５１，５２，５３，５４，５５，５６は、それぞれ導体の線路によって構成された共振器導体部５１０，５２０，５３０，５４０，５５０，５６０を有している。共振器導体部５１０，５２０，５３０，５４０，５５０，５６０の各々は、Ｚ方向に直交する方向に延びている。
【００３６】
共振器導体部５１０，５２０，５３０，５４０，５５０，５６０の各々は、線路の両端である第１端および第２端を有している。前述のように、共振器５１〜５６の各々は、両端開放型共振器である。そのため、共振器導体部５１０，５２０，５３０，５４０，５５０，５６０の各々の第１端と第２端は、いずれも開放されている。共振器導体部５１０，５２０，５３０，５４０，５５０，５６０の各々は、バンドパスフィルタ１の通過帯域の中心周波数に対応する波長の１／２またはそれに近い長さを有している。
【００３７】
仕切り部７は、その少なくとも一部が共振器導体部５２０と共振器導体部５５０の間を通過するように延びて、第１の部分６１と第２の部分６２とに接している。本実施の形態では特に、仕切り部７は、Ｚ方向に延びている。また、仕切り部７は、第１の部分６１と第２の部分６２を最短経路で接続している。
【００３８】
また、仕切り部７は、主要部２１を構成する２つ以上の誘電体層を貫通している。本実施の形態では、仕切り部７は、それぞれ主要部２１を構成する２つ以上の誘電体層を貫通する複数のスルーホール列７Ｔを含んでいる。図１では、個々のスルーホール列７Ｔを円柱で表している。複数のスルーホール列７Ｔの各々は、直列に接続された２つ以上のスルーホールを含んでいる。複数のスルーホール列７Ｔの各々は、Ｚ方向に延びている。また、複数のスルーホール列７Ｔは、Ｙ方向に並ぶように配列されている。本実施の形態では、スルーホール列７Ｔの数は６である。
【００３９】
結合調整部８は、共振器５１，５６間の容量結合の大きさを調整するためのものである。結合調整部８は、それぞれ主要部２１を構成する２つ以上の誘電体層を貫通する複数のスルーホール列８Ｔを含んでいる。図１では、個々のスルーホール列８Ｔを円柱で表している。複数のスルーホール列８Ｔの各々は、直列に接続された２つ以上のスルーホールを含んでいる。複数のスルーホール列８Ｔの各々は、Ｚ方向に延びて、第１の部分６１と第２の部分６２とに接している。また、複数のスルーホール列８Ｔは、共振器導体部５１０の第２端と共振器導体部５６０の第２端の近傍において、Ｙ方向に並ぶように配列されている。本実施の形態では、スルーホール列８Ｔの数は２である。
【００４０】
シールド６の接続部６３は、それぞれ主要部２１を構成する２つ以上の誘電体層を貫通する複数のスルーホール列６３Ｔを含んでいる。図１では、個々のスルーホール列６３Ｔを円柱で表している。図１において、６つのスルーホール列７Ｔと２つのスルーホール列８Ｔ以外の複数の円柱で表わされた複数のスルーホール列は、全てスルーホール列６３Ｔである。複数のスルーホール列６３Ｔの各々は、直列に接続された２つ以上のスルーホールを含んでいる。複数のスルーホール列６３Ｔの各々は、Ｚ方向に延びている。
【００４１】
次に、図３ないし図１０を参照して、積層体２０を構成する複数の誘電体層と、この複数の誘電体層に形成された複数の導体層および複数のスルーホールの構成の一例について説明する。この例では、積層体２０は、積層された１９層の誘電体層を有している。以下、この１９層の誘電体層を、下から順に１層目ないし１９層目の誘電体層と呼ぶ。また、１層目ないし１９層目の誘電体層を符号３１〜４９で表す。主要部２１は、１層目ないし１８層目の誘電体層３１〜４８によって構成されている。被覆部２２は、１９層目の誘電体層４９によって構成されている。図３ないし図９において、複数の円は複数のスルーホールを表している。
【００４２】
図３は、１層目の誘電体層３１のパターン形成面を示している。誘電体層３１のパターン形成面には、第１の入出力ポート３を構成する導体層３１１と、第２の入出力ポート４を構成する導体層３１２と、シールド６の第１の部分６１を構成する第１の導体層３１３とが形成されている。
【００４３】
また、誘電体層３１には、導体層３１１に接続されたスルーホール３１Ｔ１と、導体層３１２に接続されたスルーホール３１Ｔ２とが形成されている。誘電体層３１には、更に、６つのスルーホール列７Ｔの一部を構成する６つのスルーホール７Ｔ１と、２つのスルーホール列８Ｔの一部を構成する２つのスルーホール８Ｔ１と、複数のスルーホール列６３Ｔの一部を構成する複数のスルーホール６３Ｔ１が形成されている。図３において、スルーホール３１Ｔ１，３１Ｔ２，７Ｔ１，８Ｔ１以外の複数の円で表わされた複数のスルーホールは、全てスルーホール６３Ｔ１である。スルーホール７Ｔ１，８Ｔ１，６３Ｔ１は、第１の導体層３１３に接続されている。
【００４４】
図４は、２層目および３層目の誘電体層３２，３３のパターン形成面を示している。誘電体層３２，３３の各々には、スルーホール３２Ｔ１，３２Ｔ２が形成されている。２層目の誘電体層３２に形成されたスルーホール３２Ｔ１，３２Ｔ２には、それぞれ、図３に示したスルーホール３１Ｔ１，３１Ｔ２が接続されている。
【００４５】
誘電体層３２，３３の各々には、更に、６つのスルーホール列７Ｔの一部を構成する６つのスルーホール７Ｔ２が形成されている。２層目の誘電体層３２に形成された６つのスルーホール７Ｔ２には、図３に示した６つのスルーホール７Ｔ１が接続されている。
【００４６】
誘電体層３２，３３の各々には、更に、２つのスルーホール列８Ｔの一部を構成する２つのスルーホール８Ｔ２が形成されている。２層目の誘電体層３２に形成された２つのスルーホール８Ｔ２には、図３に示した２つのスルーホール８Ｔ１が接続されている。
【００４７】
誘電体層３２，３３の各々には、更に、複数のスルーホール列６３Ｔの一部を構成する複数のスルーホール６３Ｔ２が形成されている。図４において、スルーホール３２Ｔ１，３２Ｔ２，７Ｔ２，８Ｔ２以外の複数の円で表わされた複数のスルーホールは、全てスルーホール６３Ｔ２である。２層目の誘電体層３２に形成された複数のスルーホール６３Ｔ２には、図３に示した複数のスルーホール６３Ｔ１が接続されている。
【００４８】
誘電体層３２，３３では、上下に隣接する同じ符号のスルーホール同士が互いに接続されている。
【００４９】
図５は、４層目の誘電体層３４のパターン形成面を示している。誘電体層３４のパターン形成面には、線路９１を構成する導体層３４１と、線路９２を構成する導体層３４２が形成されている。導体層３４１，３４２の各々は、互いに反対側に位置する第１端と第２端を有している。導体層３４１における第１端の近傍部分には、３層目の誘電体層３３に形成されたスルーホール３２Ｔ１が接続されている。導体層３４２における第１端の近傍部分には、３層目の誘電体層３３に形成されたスルーホール３２Ｔ２が接続されている。導体層３４１における第２端の近傍の一部と、導体層３４２における第２端の近傍の一部は、誘電体層３１，３２，３３を介して、図３に示した導体層３１３に対向している。
【００５０】
また、誘電体層３４には、導体層３４１における第１端の近傍部分に接続されたスルーホール３４Ｔ１と、導体層３４２における第１端の近傍部分に接続されたスルーホール３４Ｔ２とが形成されている。
【００５１】
誘電体層３４には、更に、６つのスルーホール列７Ｔの一部を構成する６つのスルーホール７Ｔ４が形成されている。６つのスルーホール７Ｔ４には、３層目の誘電体層３３に形成された６つのスルーホール７Ｔ２が接続されている。
【００５２】
誘電体層３４には、更に、２つのスルーホール列８Ｔの一部を構成する２つのスルーホール８Ｔ４が形成されている。２つのスルーホール８Ｔ４には、３層目の誘電体層３３に形成された２つのスルーホール８Ｔ２が接続されている。
【００５３】
誘電体層３４には、更に、複数のスルーホール列６３Ｔの一部を構成する複数のスルーホール６３Ｔ４が形成されている。図５において、スルーホール３４Ｔ１，３４Ｔ２，７Ｔ４，８Ｔ４以外の複数の円で表わされた複数のスルーホールは、全てスルーホール６３Ｔ４である。複数のスルーホール６３Ｔ４には、３層目の誘電体層３３に形成された複数のスルーホール６３Ｔ２が接続されている。
【００５４】
図６は、５層目ないし８層目の誘電体層３５〜３８のパターン形成面を示している。誘電体層３５〜３８の各々には、スルーホール３５Ｔ１，３５Ｔ２が形成されている。５層目の誘電体層３５に形成されたスルーホール３５Ｔ１，３５Ｔ２には、それぞれ、図５に示したスルーホール３４Ｔ１，３４Ｔ２が接続されている。
【００５５】
誘電体層３５〜３８の各々には、更に、６つのスルーホール列７Ｔの一部を構成する６つのスルーホール７Ｔ５が形成されている。５層目の誘電体層３５に形成された６つのスルーホール７Ｔ５には、図５に示した６つのスルーホール７Ｔ４が接続されている。
【００５６】
誘電体層３５〜３８の各々には、更に、２つのスルーホール列８Ｔの一部を構成する２つのスルーホール８Ｔ５が形成されている。５層目の誘電体層３５に形成された２つのスルーホール８Ｔ５には、図５に示した２つのスルーホール８Ｔ４が接続されている。
【００５７】
誘電体層３５〜３８の各々には、更に、複数のスルーホール列６３Ｔの一部を構成する複数のスルーホール６３Ｔ５が形成されている。図６において、スルーホール３５Ｔ１，３５Ｔ２，７Ｔ５，８Ｔ５以外の複数の円で表わされた複数のスルーホールは、全てスルーホール６３Ｔ５である。５層目の誘電体層３５に形成された複数のスルーホール６３Ｔ５には、図５に示した複数のスルーホール６３Ｔ４が接続されている。
【００５８】
誘電体層３５〜３８では、上下に隣接する同じ符号のスルーホール同士が互いに接続されている。
【００５９】
図７は、９層目の誘電体層３９のパターン形成面を示している。誘電体層３９のパターン形成面には、図２に示したキャパシタＣ１を構成するための導体層３９１と、図２に示したキャパシタＣ２を構成するための導体層３９２とが形成されている。導体層３９１には、８層目の誘電体層３８に形成されたスルーホール３５Ｔ１が接続されている。導体層３９２には、８層目の誘電体層３８に形成されたスルーホール３５Ｔ２が接続されている。
【００６０】
誘電体層３９のパターン形成面には、更に、それぞれ図２に示したキャパシタＣ１２，Ｃ２３，Ｃ３４，Ｃ４５，Ｃ５６を構成するための導体層３９３，３９４，３９５，３９６，３９７が形成されている。
【００６１】
また、誘電体層３９には、６つのスルーホール列７Ｔの一部を構成する６つのスルーホール７Ｔ９が形成されている。６つのスルーホール７Ｔ９には、８層目の誘電体層３８に形成された６つのスルーホール７Ｔ５が接続されている。
【００６２】
誘電体層３９には、更に、２つのスルーホール列８Ｔの一部を構成する２つのスルーホール８Ｔ９が形成されている。２つのスルーホール８Ｔ９には、８層目の誘電体層３８に形成された２つのスルーホール８Ｔ５が接続されている。
【００６３】
誘電体層３９には、更に、複数のスルーホール列６３Ｔの一部を構成する複数のスルーホール６３Ｔ９が形成されている。図７において、スルーホール７Ｔ９，８Ｔ９以外の複数の円で表わされた複数のスルーホールは、全てスルーホール６３Ｔ９である。複数のスルーホール６３Ｔ９には、８層目の誘電体層３８に形成された複数のスルーホール６３Ｔ５が接続されている。
【００６４】
図８は、９層目の誘電体層４０のパターン形成面を示している。誘電体層４０のパターン形成面には、共振器導体部５１０，５２０，５３０，５４０，５５０，５６０が形成されている。ここで、図８および図１１を参照して、共振器導体部５１０，５２０，５３０，５４０，５５０，５６０の構成について詳しく説明する。図１１は、共振器導体部５１０，５２０，５３０，５４０，５５０，５６０の構成を説明するための説明図である。
【００６５】
共振器導体部５１０は、線路の両端である第１端５１ａおよび第２端５１ｂを含んでいる。共振器導体部５２０は、線路の両端である第１端５２ａおよび第２端５２ｂを含んでいる。共振器導体部５３０は、線路の両端である第１端５３ａおよび第２端５３ｂを含んでいる。共振器導体部５４０は、線路の両端である第１端５４ａおよび第２端５４ｂを含んでいる。共振器導体部５５０は、線路の両端である第１端５５ａおよび第２端５５ｂを含んでいる。共振器導体部５６０は、線路の両端である第１端５６ａおよび第２端５６ｂを含んでいる。
【００６６】
図１１には、共振器導体部５１０，５２０，５３０，５４０，５５０，５６０のそれぞれについて、第１端と第２端を結ぶ最短経路５１Ｐ，５２Ｐ，５３Ｐ，５４Ｐ，５５Ｐ，５６Ｐを、太線の矢印で示している。各最短経路は、各共振器導体部における最短電流経路に対応する。以下、各共振器導体部において、最短経路に直交する方向の寸法を、幅と言う。
【００６７】
共振器導体部５１０，５６０の各々は、Ｘ方向に延びている。また、共振器導体部５１０，５６０は、それらと交差してＸ方向に延びる１つの直線が存在する位置関係で配置されている。共振器導体部５１０の第２端５１ｂと共振器導体部５６０の第２端５６ｂは、所定の間隔を開けて隣接している。第２端５１ｂと第２端５６ｂの間隔は、共振器導体部５１０，５６０の各々の長さよりも十分に小さい。
【００６８】
図１１に示したように、共振器導体部５１０は、細幅部５１Ａと、細幅部５１Ａと第１端５１ａとの間に位置する第１の幅広部５１Ｂと、細幅部５１Ａと第２端５１ｂとの間に位置する第２の幅広部５１Ｃと、２つの連結部５１Ｄ，５１Ｅとを含んでいる。本実施の形態では特に、第１の幅広部５１Ｂは第１端５１ａを含み、第２の幅広部５１Ｃは第２端５１ｂを含んでいる。連結部５１Ｄは、細幅部５１Ａの一端部と、第１の幅広部５１Ｂにおける第１端５１ａとは反対側の端部とを接続している。連結部５１Ｅは、細幅部５１Ａの他端部と、第２の幅広部５１Ｃにおける第２端５１ｂとは反対側の端部とを接続している。図１１では、細幅部５１Ａと連結部５１Ｄの境界と、細幅部５１Ａと連結部５１Ｅの境界と、第１の幅広部５１Ｂと連結部５１Ｄの境界と、第２の幅広部５１Ｃと連結部５１Ｅの境界を、破線で示している。
【００６９】
細幅部５１Ａの幅Ｗ５１Ａ、第１の幅広部５１Ｂの幅Ｗ５１Ｂおよび第２の幅広部５１Ｃの幅Ｗ５１Ｃは、それぞれ、Ｘ方向の位置によらずに一定である。幅Ｗ５１Ａは、幅Ｗ５１Ｂ，Ｗ５１Ｃよりも小さい。連結部５１Ｄ，５１Ｅの各々の幅は、Ｘ方向の位置に応じて変化する。連結部５１Ｄの幅は、細幅部５１Ａとの境界位置では細幅部５１Ａの幅と等しく、第１の幅広部５１Ｂとの境界位置では第１の幅広部５１Ｂの幅と等しい。連結部５１Ｅの幅は、細幅部５１Ａとの境界位置では細幅部５１Ａの幅と等しく、第２の幅広部５１Ｃとの境界位置では第２の幅広部５１Ｃの幅と等しい。
【００７０】
図１１に示したように、共振器導体部５６０は、細幅部５６Ａと、細幅部５６Ａと第１端５６ａとの間に位置する第１の幅広部５６Ｂと、細幅部５６Ａと第２端５６ｂとの間に位置する第２の幅広部５６Ｃと、２つの連結部５６Ｄ，５６Ｅとを含んでいる。本実施の形態では特に、第１の幅広部５６Ｂは第１端５６ａを含み、第２の幅広部５６Ｃは第２端５６ｂを含んでいる。連結部５６Ｄは、細幅部５６Ａの一端部と、第１の幅広部５６Ｂにおける第１端５６ａとは反対側の端部とを接続している。連結部５６Ｅは、細幅部５６Ａの他端部と、第２の幅広部５６Ｃにおける第２端５６ｂとは反対側の端部とを接続している。図１１では、細幅部５６Ａと連結部５６Ｄの境界と、細幅部５６Ａと連結部５６Ｅの境界と、第１の幅広部５６Ｂと連結部５６Ｄの境界と、第２の幅広部５６Ｃと連結部５６Ｅの境界を、破線で示している。
【００７１】
細幅部５６Ａの幅Ｗ５６Ａ、第１の幅広部５６Ｂの幅Ｗ５６Ｂおよび第２の幅広部５６Ｃの幅Ｗ５６Ｃは、それぞれ、Ｘ方向の位置によらずに一定である。幅Ｗ５６Ａは、幅Ｗ５６Ｂ，Ｗ５６Ｃよりも小さい。連結部５６Ｄ，５６Ｅの各々の幅は、Ｘ方向の位置に応じて変化する。連結部５６Ｄの幅は、細幅部５６Ａとの境界位置では細幅部５６Ａの幅と等しく、第１の幅広部５６Ｂとの境界位置では第１の幅広部５６Ｂの幅と等しい。連結部５６Ｅの幅は、細幅部５６Ａとの境界位置では細幅部５６Ａの幅と等しく、第２の幅広部５６Ｃとの境界位置では第２の幅広部５６Ｃの幅と等しい。
【００７２】
共振器導体部５２０，５５０の各々は、Ｙ方向に延びている。また、共振器導体部５２０，５５０は、所定の間隔を開けてＸ方向に隣接している。共振器導体部５２０，５５０の間隔は、共振器導体部５２０，５５０の各々の長さよりも小さい。
【００７３】
共振器導体部５２０は、第１端５２ａと第２端５２ｂの間において幅Ｗ５２が一定である。共振器導体部５５０は、第１端５５ａと第２端５５ｂの間において幅Ｗ５５が一定である。
【００７４】
共振器導体部５２０の第１端５２ａは、共振器導体部５１０の第２端５１ｂの近傍に配置されている。共振器導体部５５０の第１端５５ａは、共振器導体部５６０の第２端５６ｂの近傍に配置されている。
【００７５】
図８に示したように、共振器導体部５３０は、第１の部分５３Ａと第２の部分５３Ｂと第３の部分５３Ｃを含んでいる。第１の部分５３Ａは第１端５３ａを含み、第２の部分５３Ｂは第２端５３ｂを含んでいる。第１の部分５３ＡはＸ方向に延び、第２の部分５３ＢはＹ方向に延びている。第３の部分５３Ｃは、第１の部分５３Ａにおける第１端５３ａとは反対側の端部と、第２の部分５３Ｂにおける第２端５３ｂとは反対側の端部と接続している。図８では、第１の部分５３Ａと第３の部分５３Ｃの境界と、第２の部分５３Ｂと第３の部分５３Ｃの境界を、破線で示している。第１端５３ａは、共振器導体部５２０の第２端５２ｂの近傍に配置されている。共振器導体部５３０は、第１端５３ａと第２端５３ｂの間において幅Ｗ５３が一定である。
【００７６】
図８に示したように、共振器導体部５４０は、第１の部分５４Ａと第２の部分５４Ｂと第３の部分５４Ｃを含んでいる。第１の部分５４Ａは第１端５４ａを含み、第２の部分５４Ｂは第２端５４ｂを含んでいる。第１の部分５４ＡはＸ方向に延び、第２の部分５４ＢはＹ方向に延びている。第３の部分５４Ｃは、第１の部分５４Ａにおける第１端５４ａとは反対側の端部と、第２の部分５４Ｂにおける第２端５４ｂとは反対側の端部と接続している。図８では、第１の部分５４Ａと第３の部分５４Ｃの境界と、第２の部分５４Ｂと第３の部分５４Ｃの境界を、破線で示している。第１端５４ａは、共振器導体部５５０の第２端５５ｂの近傍に配置されている。共振器導体部５４０は、第１端５４ａと第２端５４ｂの間において幅Ｗ５４が一定である。
【００７７】
共振器導体部５３０の第１端５３ａと共振器導体部５４０の第１端５４ａは、所定の間隔を開けて隣接している。
【００７８】
次に、図８を参照して、共振器導体部５１０，５２０，５３０，５４０，５５０，５６０以外の、誘電体層４０に形成された構成要素について説明する。誘電体層４０のパターン形成面には、仕切り部７の一部を構成する導体層７Ｃが形成されている。導体層７Ｃは、共振器導体部５２０と共振器導体部５５０の間に位置して、Ｙ方向に延びている。
【００７９】
また、誘電体層４０には、６つのスルーホール列７Ｔの一部を構成する６つのスルーホール７Ｔ１０が形成されている。６つのスルーホール７Ｔ１０は、導体層７Ｃに接続されている。また、６つのスルーホール７Ｔ１０には、図７に示した６つのスルーホール７Ｔ９が接続されている。
【００８０】
誘電体層４０には、更に、２つのスルーホール列８Ｔの一部を構成する２つのスルーホール８Ｔ１０が形成されている。２つのスルーホール８Ｔ１０には、図７に示した２つのスルーホール８Ｔ９が接続されている。
【００８１】
誘電体層４０には、更に、複数のスルーホール列６３Ｔの一部を構成する複数のスルーホール６３Ｔ１０が形成されている。図８において、スルーホール７Ｔ１０，８Ｔ１０以外の複数の円で表わされた複数のスルーホールは、全てスルーホール６３Ｔ１０である。複数のスルーホール６３Ｔ１０には、図７に示した複数のスルーホール６３Ｔ９が接続されている。
【００８２】
図９は、１１層目ないし１８層目の誘電体層４１〜４８のパターン形成面を示している。誘電体層４１〜４８の各々には、６つのスルーホール列７Ｔの一部を構成する６つのスルーホール７Ｔ１１が形成されている。１１層目の誘電体層４１に形成された６つのスルーホール７Ｔ１１には、図８に示した６つのスルーホール７Ｔ１０が接続されている。
【００８３】
誘電体層４１〜４８の各々には、更に、２つのスルーホール列８Ｔの一部を構成する２つのスルーホール８Ｔ１１が形成されている。１１層目の誘電体層４１に形成された２つのスルーホール８Ｔ１１には、図８に示した２つのスルーホール８Ｔ１０が接続されている。
【００８４】
誘電体層４１〜４８の各々には、更に、複数のスルーホール列６３Ｔの一部を構成する複数のスルーホール６３Ｔ１１が形成されている。図９において、スルーホール７Ｔ１１，８Ｔ１１以外の複数の円で表わされた複数のスルーホールは、全てスルーホール６３Ｔ１１である。１１層目の誘電体層４１に形成された複数のスルーホール６３Ｔ１１には、図９に示した複数のスルーホール６３Ｔ１０が接続されている。
【００８５】
誘電体層４１〜４８では、上下に隣接する同じ符号のスルーホール同士が互いに接続されている。
【００８６】
図１０は、１９層目の誘電体層４９のパターン形成面を示している。誘電体層４９のパターン形成面には、シールド６の第２の部分６２を構成する第２の導体層４９１が形成されている。第２の導体層４９１には、１８層目の誘電体層４８に形成されたスルーホール７Ｔ１１，８Ｔ１１，６３Ｔ１１が接続されている。
【００８７】
本実施の形態に係るバンドパスフィルタ１は、１層目の誘電体層３１のパターン形成面が本体２の第１の端面２Ａになるように、１層目ないし１９層目の誘電体層３１〜４９が積層されて構成される。１９層目の誘電体層４９におけるパターン形成面とは反対側の面は、本体２の第２の端面２Ｂになる。１層目ないし１９層目の誘電体層３１〜４９は、積層体２０を構成する。
【００８８】
共振器５１〜５６のそれぞれの共振器導体部５１０，５２０，５３０，５４０，５５０，５６０は、Ｚ方向に関して、積層体２０内の同じ位置に配置されている。
【００８９】
第１の入出力ポート３を構成する導体層３１１は、スルーホール３１Ｔ１，３２Ｔ１、導体層３４１およびスルーホール３４Ｔ１，３５Ｔ１を介して、図７に示した導体層３９１に接続されている。導体層３９１は、誘電体層３９を介して、図８に示した共振器導体部５１０における第１端５１ａの近傍部分に対向している。図２に示したキャパシタＣ１は、導体層３９１と共振器導体部５１０と、これらの間の誘電体層３９とによって構成されている。
【００９０】
第２の入出力ポート４を構成する導体層３１２は、スルーホール３１Ｔ２，３２Ｔ２、導体層３４２およびスルーホール３４Ｔ２，３５Ｔ２を介して、図７に示した導体層３９２に接続されている。導体層３９２は、誘電体層３９を介して、図８に示した共振器導体部５６０における第１端５６ａの近傍部分に対向している。図２に示したキャパシタＣ２は、導体層３９２と共振器導体部５６０と、これらの間の誘電体層３９とによって構成されている。
【００９１】
図７に示した導体層３９３は、誘電体層３９を介して、共振器導体部５１０における第２端５１ｂの近傍部分と、共振器導体部５２０における第１端５２ａの近傍部分とに対向している。図２に示したキャパシタＣ１２は、導体層３９３と、共振器導体部５１０，５２０と、これらの間の誘電体層３９とによって構成されている。
【００９２】
図７に示した導体層３９４は、誘電体層３９を介して、共振器導体部５２０における第２端５２ｂの近傍部分と、共振器導体部５３０における第１端５３ａの近傍部分とに対向している。図２に示したキャパシタＣ２３は、導体層３９４と、共振器導体部５２０，５３０と、これらの間の誘電体層３９とによって構成されている。
【００９３】
図７に示した導体層３９５は、誘電体層３９を介して、共振器導体部５３０における第１端５３ａの近傍部分と、共振器導体部５４０における第１端５４ａの近傍部分とに対向している。図２に示したキャパシタＣ３４は、導体層３９５と、共振器導体部５３０，５４０と、これらの間の誘電体層３９とによって構成されている。
【００９４】
図７に示した導体層３９６は、誘電体層３９を介して、共振器導体部５４０における第１端５４ａの近傍部分と、共振器導体部５５０における第２端５５ｂの近傍部分とに対向している。図２に示したキャパシタＣ４５は、導体層３９６と、共振器導体部５４０，５５０と、これらの間の誘電体層３９とによって構成されている。
【００９５】
図７に示した導体層３９７は、誘電体層３９を介して、共振器導体部５５０における第１端５５ａの近傍部分と、共振器導体部５６０における第２端５６ｂの近傍部分とに対向している。図２に示したキャパシタＣ５６は、導体層３９７と、共振器導体部５５０，５６０と、これらの間の誘電体層３９とによって構成されている。
【００９６】
仕切り部７の６つのスルーホール列７Ｔの各々は、スルーホール７Ｔ１，７Ｔ２，７Ｔ４，７Ｔ５，７Ｔ９，７Ｔ１０，７Ｔ１１が、Ｚ方向に直列に接続されることによって構成されている。
【００９７】
図３ないし図１０に示した例では、仕切り部７は、共振器導体部５２０と共振器導体部５５０の間を通過するように延びて、第１の部分６１と第２の部分６２とに接している。
【００９８】
結合調整部８の２つのスルーホール列８Ｔの各々は、スルーホール８Ｔ１，８Ｔ２，８Ｔ４，８Ｔ５，８Ｔ９，８Ｔ１０，８Ｔ１１が、Ｚ方向に直列に接続されることによって構成されている。
【００９９】
接続部６３の複数のスルーホール列６３Ｔの各々は、スルーホール６３Ｔ１，６３Ｔ２，６３Ｔ４，６３Ｔ５，６３Ｔ９，６３Ｔ１０，６３Ｔ１１が、Ｚ方向に直列に接続されることによって構成されている。
【０１００】
本実施の形態に係るバンドパスフィルタ１は、例えば、通過帯域が１０〜３０ＧＨｚの準ミリ波帯または３０〜３００ＧＨｚのミリ波帯に存在するように設計および構成される。バンドパスフィルタ１は、回路構成上、第１の入出力ポート３と第２の入出力ポート４の間に設けられたｎ個の共振器を備えている。ｎ個の共振器は、回路構成上隣接する２つの共振器が電磁結合するように構成されている。
【０１０１】
次に、本実施の形態に係るバンドパスフィルタ１の特徴について説明する。以下、バンドパスフィルタ１が含むｎ個の共振器のうち、回路構成上、第１の入出力ポート３にｉ番目に近い共振器をｉ段目の共振器と呼ぶ。また、ｎが偶数の場合には、ｎ／２段目の共振器とｎ／２＋１段目の共振器を中央共振器と呼ぶ。ｎが奇数の場合には、（ｎ＋１）／２段目の共振器を中央共振器と呼ぶ。本実施の形態では特に、ｎが６である。従って、本実施の形態では、３段目の共振器５３と４段目の共振器５４が中央共振器である。
【０１０２】
本実施の形態では、ｎ個の共振器は、少なくとも一対の、回路構成上隣接していない第１の共振器および第２の共振器と、回路構成上第１の共振器と第２の共振器の間に位置する第３の共振器とを含んでいる。
【０１０３】
第１の共振器は、ｉの値が（ｎ＋１）／２よりも小さいｉ段目の共振器である。これは、第１の共振器は、回路構成上、中央共振器よりも、第１の入出力ポート３により近いことを意味する。
【０１０４】
第２の共振器は、ｉの値が（ｎ＋１）／２よりも大きいｉ段目の共振器である。これは、第２の共振器は、回路構成上、中央共振器よりも、第２の入出力ポート４により近いことを意味する。
【０１０５】
第１の共振器は、導体の線路によって構成された第１の共振器導体部を有している。第２の共振器は、導体の線路によって構成された第２の共振器導体部を有している。第３の共振器は、導体の線路によって構成された第３の共振器導体部を有している。第１ないし第３の共振器導体部の各々は、線路の両端である第１端および第２端を含んでいる。
【０１０６】
第１および第２の共振器導体部の各々は、細幅部と、細幅部と第１端の間に位置する第１の幅広部と、細幅部と第２端の間に位置する第２の幅広部とを含んでいる。細幅部は、第１端と第２端を結ぶ最短経路に直交する方向の寸法である幅が、第１および第２の幅広部よりも小さい。また、第１および第２の共振器の各々は、第３の共振器よりも無負荷Ｑが小さい。第１および第２の共振器導体部の各々は、最短経路が第３の共振器導体部よりも短くてもよい。
【０１０７】
上述の細幅部と第１の幅広部と第２の幅広部を含む共振器導体部を有する共振器は、ＳＩＲの一種である。共振器の共振周波数を一定にして比較すると、共振器をＳＩＲとすることにより、共振器をＳＩＲにしない場合に比べて、共振器導体部の最短経路を短くすることが可能になる一方で、無負荷Ｑは小さくなる。
【０１０８】
本実施の形態では特に、第１の共振器は１段目の共振器５１であり、第２の共振器はｎ段目すなわち６段目の共振器５６である。また、本実施の形態では、第３の共振器は４つ存在し、２段目ないし５段目の共振器５２〜５５が第３の共振器である。共振器導体部５１０は第１の共振器導体部に対応し、共振器導体部５６０は第２の共振器導体部に対応し、共振器導体部５２０，５３０，５４０，５５０は第３の共振器導体部に対応する。共振器５１，５６の各々は、共振器５２，５３，５４，５５よりも無負荷Ｑが小さい。
【０１０９】
図１１を参照して説明したように、共振器導体部５１０は、細幅部５１Ａと第１の幅広部５１Ｂと第２の幅広部５１Ｃを含んでいる。共振器導体部５６０は、細幅部５６Ａと第１の幅広部５６Ｂと第２の幅広部５６Ｃを含んでいる。共振器５１，５６は、ＳＩＲである。
【０１１０】
共振器導体部５２０，５３０，５４０，５５０の各々は、第１端における幅および第２端における幅よりも小さい幅を有する部分を含まない。本実施の形態では特に、共振器導体部５２０，５３０，５４０，５５０の各々は、第１端と第２端の間において幅が一定である。共振器５２〜５５は、ＳＩＲではない。
【０１１１】
各共振器の共振器導体部の最短経路の長さは、その共振器の共振周波数に依存する。共振器５１〜５６は、それらの共振周波数がバンドパスフィルタ１の通過帯域の中心周波数と等しいかそれに近い周波数になるように設計される。ただし、共振器５１〜５６の共振周波数が一致するとは限らない。そのため、ＳＩＲである共振器５１，５６の共振器導体部５１０，５６０の最短経路５１Ｐ，５６Ｐが、ＳＩＲではない共振器５２〜５５の共振器導体部５２０，５３０，５４０，５５０の最短経路５２Ｐ，５３Ｐ，５４Ｐ，５５Ｐよりも短いとは限らない。
【０１１２】
本実施の形態では特に、共振器導体部５１０，５６０の最短経路５１Ｐ，５６Ｐの各々は、共振器導体部５３０，５４０の最短経路５３Ｐ，５４Ｐよりも短い。共振器導体部５２０，５５０の最短経路５２Ｐ，５５Ｐの各々の長さは、最短経路５１Ｐ，５６Ｐの各々の長さと等しいかほぼ等しい。
【０１１３】
以下、ｉ段目の共振器の無負荷Ｑを記号Ｑｕｉで表し、ｉ段目の共振器の規格化素子値を記号ｇｉで表す。この場合、ｎ個の共振器の無負荷Ｑに基づく、バンドパスフィルタ１の通過帯域の中心周波数における挿入損失は、ｎ個の共振器についてのｇｉ／Ｑｕｉの総和に比例する。
【０１１４】
ｉ段目の共振器をＳＩＲにすると、ｉ段目の共振器が、幅が一定の導体の線路よりなる共振器である場合に比べて、Ｑｕｉが小さくなる。その結果、挿入損失は増加する。ｎ個の共振器の全てをＳＩＲにすると、挿入損失が大きくなりすぎるおそれがある。そこで、本実施の形態では、ｎ個の共振器の全てをＳＩＲにせずに、一部の共振器のみをＳＩＲにしている。
【０１１５】
ｎ個の共振器を含むバンドパスフィルタでは、バンドパスフィルタの特性にもよるが、一般的には、ｉの値が（ｎ＋１）／２よりも小さいほど、あるいはｉの値が（ｎ＋１）／２よりも大きいほど、規格化素子値ｇｉが小さい。例えば、ｎ個の共振器の共振周波数が等しく、バンドパスフィルタが最大平坦特性の場合には、ｇｉは２ｓｉｎ（（２ｉ−１）π／２ｎ）と表される。本実施の形態では、回路構成上、第１の入出力ポート３または第２の入出力ポート４に近い共振器ほど、規格化素子値ｇｉが小さく、Ｑｕｉの変化量に対する挿入損失の変化量の比が小さい。
【０１１６】
従って、一部の共振器のみをＳＩＲにする場合、中央共振器あるいは、回路構成上中央共振器に近い共振器をＳＩＲにするよりも、第１の入出力ポート３または第２の入出力ポート４に近い共振器をＳＩＲにした方が、挿入損失の増加量を小さくすることができる。
【０１１７】
そこで、本実施の形態では、回路構成上、第１の入出力ポート３に最も近い１段目の共振器５１と、回路構成上、第２の入出力ポート４に最も近い６段目の共振器５６のみをＳＩＲにしている。
【０１１８】
以上のことから、本実施の形態によれば、ＳＩＲにした共振器５１，５６を小型化できることから、バンドパスフィルタ１を小型化することが可能になる。また、本実施の形態によれば、共振器５１，５６のみをＳＩＲにしているため、バンドパスフィルタ１の挿入損失の増加を抑制することができる。
【０１１９】
ここで、本実施の形態における共振器５１〜５６の無負荷Ｑの一例を示す。この例では、１段目と６段目の共振器５１，５６の無負荷Ｑは２５０である。２段目と５段目の共振器５２，５５の無負荷Ｑは２８８である。３段目と４段目の共振器５３，５４の無負荷Ｑは２５３である。従って、この例では、１段目と６段目の共振器５１，５６の各々は、２段目ないし５段目の共振器５２〜５５よりも無負荷Ｑが小さい。
【０１２０】
次に、本実施の形態に係るバンドパスフィルタ１に関するシミュレーションの結果について説明する。このシミュレーションでは、バンドパスフィルタ１の第１ないし第３のモデルについて、挿入損失の周波数特性を求めた。第１ないし第３のモデルでは、共振器５１〜５６の無負荷Ｑの組み合わせが異なる。
【０１２１】
第１のモデルでは、共振器５１〜５６の無負荷Ｑは全て２００である。第２のモデルでは、共振器５１，５６の無負荷Ｑは１００であり、共振器５２〜５５の無負荷Ｑは２００である。第３のモデルでは、共振器５２，５５の無負荷Ｑは１００であり、共振器５１，５３，５４，５６の無負荷Ｑは２００である。
【０１２２】
図１２は、第１ないし第３のモデルの挿入損失の周波数特性を示している。図１３は、図１２の一部を拡大して示している。図１２および図１３において、横軸は周波数を示し、縦軸は挿入損失を示している。図１３において、第１、第２および第３のモデルの特性を、それぞれ符号７１，７２，７３を付した曲線で示している。
【０１２３】
第１ないし第３のモデルの通過帯域の中心周波数は、約２８ＧＨｚである。図１３に示したように、第２および第３のモデルでは、第１のモデルに比べて、通過帯域の中心周波数における挿入損失が大きくなっている。第２のモデルと第３のモデルで、通過帯域の中心周波数における挿入損失を比較すると、第２のモデルの方が小さい。このことから、回路構成上、第１の入出力ポート３または第２の入出力ポート４に近い共振器ほど、無負荷Ｑの変化量に対する挿入損失の変化量の比が小さいことが分かる。従って、前述の通り、一部の共振器のみをＳＩＲにする場合、中央共振器あるいは、回路構成上中央共振器に近い共振器をＳＩＲにするよりも、第１の入出力ポート３または第２の入出力ポート４に近い共振器をＳＩＲにした方が、挿入損失の増加量を小さくすることができる。
【０１２４】
また、共振器をＳＩＲにすると、基本モードの共振周波数に対する高次モードの共振周波数の比を大きくすることが可能になる。本実施の形態によれば、共振器５１，５６をＳＩＲにすることにより、共振器５１，５６の高次モードの共振周波数を高くすることができる。これにより、本実施の形態によれば、高次モードに起因して通過帯域よりも高い周波数領域におけるバンドパスフィルタ１の減衰特性が悪化することを防止することが可能になる。
【０１２５】
図１４は、本実施の形態に係るバンドパスフィルタ１の挿入損失および反射損失の周波数特性の一例を示している。以下、挿入損失の値と反射損失の値を総称して減衰量と言う。図１４において、横軸は周波数を示し、縦軸は減衰量を示している。図１４では、挿入損失の周波数特性を、符号８１ＩＬを付した曲線で示し、反射損失の周波数特性を、符号８１ＲＬを付した曲線で示している。
【０１２６】
［第２の実施の形態］
次に、本発明の第２の実施の形態について説明する。始めに、図１５および図１６を参照して、本実施の形態に係るバンドパスフィルタの構成について説明する。図１５は、本実施の形態に係るバンドパスフィルタの構造を示す斜視図である。図１６は、本実施の形態に係るバンドパスフィルタの回路構成を示す回路図である。
【０１２７】
本実施の形態に係るバンドパスフィルタ１００は、本体２と、第１の入出力ポート３および第２の入出力ポート４と、ｎ個の共振器と、シールド６と、仕切り部１０７とを備えている。本体２は、積層体２０を含んでいる。
【０１２８】
ｎ個の共振器は、回路構成上、第１の入出力ポート３と第２の入出力ポート４の間に設けられている。本実施の形態では、ｎは７であり、ｎ個の共振器は、７個の共振器１５１，１５２，１５３，１５４，１５５，１５６，１５７である。７個の共振器１５１，１５２，１５３，１５４，１５５，１５６，１５７は、回路構成上、第１の入出力ポート３側からこの順に配置されている。共振器１５１〜１５７は、共振器１５１，１５２が回路構成上隣接して電磁結合し、共振器１５２，１５３が回路構成上隣接して電磁結合し、共振器１５３，１５４が回路構成上隣接して電磁結合し、共振器１５４，１５５が回路構成上隣接して電磁結合し、共振器１５５，１５６が回路構成上隣接して電磁結合し、共振器１５６，１５７が回路構成上隣接して電磁結合するように構成されている。また、本実施の形態では特に、回路構成上隣接する２つの共振器の間の電磁結合は、容量結合である。また、本実施の形態では特に、共振器１５１〜１５７の各々は、両端開放型共振器であり且つ１／２波長共振器である。
【０１２９】
シールド６の第１の部分６１、第２の部分６２および接続部６３は、７個の共振器１５１〜１５７を囲むように配置されている。第１の部分６１は、積層体２０の主要部２１の第１の端面２１ａに配置された第１の導体層１３１３によって構成されている。第２の部分６２は、積層体２０の主要部２１の第２の端面２１ｂに配置された第２の導体層１４９１によって構成されている。
【０１３０】
バンドパスフィルタ１００は、共振器１５１，１５２間の容量結合を実現するキャパシタＣ１１２と、共振器１５２，１５３間の容量結合を実現するキャパシタＣ１２３と、共振器１５３，１５４間の容量結合を実現するキャパシタＣ１３４と、共振器１５４，１５５間の容量結合を実現するキャパシタＣ１４５と、共振器１５５，１５６間の容量結合を実現するキャパシタＣ１５６と、共振器１５６，１５７間の容量結合を実現するキャパシタＣ１６７とを備えている。
【０１３１】
本実施の形態では、共振器１５２と共振器１５６は、回路構成上隣接していないが磁気結合している。
【０１３２】
また、本実施の形態では、共振器１５３と共振器１５５は、回路構成上隣接していないが容量結合している。図１６において、符号Ｃ１３５を付したキャパシタの記号は、共振器１５３，１５５間の容量結合を表している。
【０１３３】
共振器１５１，１５２，１５３，１５４，１５５，１５６，１５７は、それぞれ導体の線路によって構成された共振器導体部１５１０，１５２０，１５３０，１５４０，１５５０，１５６０，１５７０を有している。共振器導体部１５１０，１５２０，１５３０，１５４０，１５５０，１５６０，１５７０の各々は、Ｚ方向に直交する方向に延びている。
【０１３４】
共振器導体部１５１０，１５２０，１５３０，１５４０，１５５０，１５６０，１５７０の各々は、線路の両端である第１端および第２端を有している。前述のように、共振器１５１〜１５７の各々は、両端開放型共振器である。そのため、共振器導体部１５１０，１５２０，１５３０，１５４０，１５５０，１５６０，１５７０の各々の第１端と第２端は、いずれも開放されている。共振器導体部１５１０，１５２０，１５３０，１５４０，１５５０，１５６０，１５７０の各々は、バンドパスフィルタ１００の通過帯域の中心周波数に対応する波長の１／２またはそれに近い長さを有している。
【０１３５】
仕切り部１０７は、その少なくとも一部が共振器導体部１５２０と共振器導体部１５６０の間を通過するように延びて、第１の部分６１と第２の部分６２とに接している。本実施の形態では特に、仕切り部１０７は、Ｚ方向に延びている。また、仕切り部１０７は、第１の部分６１と第２の部分６２を最短経路で接続している。
【０１３６】
また、仕切り部１０７は、主要部２１を構成する２つ以上の誘電体層を貫通している。本実施の形態では、仕切り部１０７は、それぞれ主要部２１を構成する２つ以上の誘電体層を貫通する複数のスルーホール列１０７Ｔと、導体層１０７Ｃとを含んでいる。図１５では、個々のスルーホール列１０７Ｔを円柱で表している。複数のスルーホール列１０７Ｔの各々は、直列に接続された２つ以上のスルーホールを含んでいる。複数のスルーホール列１０７Ｔの各々は、Ｚ方向に延びている。また、複数のスルーホール列１０７Ｔは、Ｙ方向に並ぶように配列されている。本実施の形態では、スルーホール列１０７Ｔの数は５である。
【０１３７】
シールド６の接続部６３は、それぞれ主要部２１を構成する２つ以上の誘電体層を貫通する複数のスルーホール列１６３Ｔを含んでいる。図１５では、個々のスルーホール列１６３Ｔを円柱で表している。図１５において、５つのスルーホール列１０７Ｔ以外の複数の円柱で表わされた複数のスルーホール列は、全てスルーホール列１６３Ｔである。複数のスルーホール列１６３Ｔの各々は、直列に接続された２つ以上のスルーホールを含んでいる。複数のスルーホール列１６３Ｔの各々は、Ｚ方向に延びている。
【０１３８】
次に、図１７ないし図２４を参照して、本実施の形態における積層体２０を構成する複数の誘電体層と、この複数の誘電体層に形成された複数の導体層および複数のスルーホールの構成の一例について説明する。この例では、積層体２０は、積層された１９層の誘電体層を有している。この１９層の誘電体層を、下から順に１層目ないし１９層目の誘電体層と呼ぶ。また、１層目ないし１９層目の誘電体層を符号１３１〜１４９で表す。主要部２１は、１層目ないし１８層目の誘電体層１３１〜１４８によって構成されている。被覆部２２は、１９層目の誘電体層１４９によって構成されている。図１７ないし図２３において、複数の円は複数のスルーホールを表している。
【０１３９】
図１７は、１層目の誘電体層１３１のパターン形成面を示している。誘電体層１３１のパターン形成面には、第１の入出力ポート３を構成する導体層１３１１と、第２の入出力ポート４を構成する導体層１３１２と、シールド６の第１の部分６１を構成する第１の導体層１３１３とが形成されている。
【０１４０】
また、誘電体層１３１には、導体層１３１１に接続されたスルーホール１３１Ｔ１と、導体層１３１２に接続されたスルーホール１３１Ｔ２とが形成されている。誘電体層１３１には、更に、５つのスルーホール列１０７Ｔの一部を構成する５つのスルーホール１０７Ｔ１と、複数のスルーホール列１６３Ｔの一部を構成する複数のスルーホール１６３Ｔ１が形成されている。図１７において、スルーホール１３１Ｔ１，１３１Ｔ２，１０７Ｔ１以外の複数の円で表わされた複数のスルーホールは、全てスルーホール１６３Ｔ１である。スルーホール１０７Ｔ１，１６３Ｔ１は、第１の導体層１３１３に接続されている。
【０１４１】
図１８は、２層目ないし４層目の誘電体層１３２〜１３４のパターン形成面を示している。誘電体層１３２〜１３４の各々には、スルーホール１３２Ｔ１，１３２Ｔ２が形成されている。２層目の誘電体層１３２に形成されたスルーホール１３２Ｔ１，１３２Ｔ２には、それぞれ、図１７に示したスルーホール１３１Ｔ１，１３１Ｔ２が接続されている。
【０１４２】
誘電体層１３２〜１３４の各々には、更に、５つのスルーホール列１０７Ｔの一部を構成する５つのスルーホール１０７Ｔ２が形成されている。２層目の誘電体層１３２に形成された５つのスルーホール１０７Ｔ２には、図１７に示した５つのスルーホール１０７Ｔ１が接続されている。
【０１４３】
誘電体層１３２〜１３４の各々には、更に、複数のスルーホール列１６３Ｔの一部を構成する複数のスルーホール１６３Ｔ２が形成されている。図１８において、スルーホール１３２Ｔ１，１３２Ｔ２，１０７Ｔ２以外の複数の円で表わされた複数のスルーホールは、全てスルーホール１６３Ｔ２である。２層目の誘電体層１３２に形成された複数のスルーホール１６３Ｔ２には、図１７に示した複数のスルーホール１６３Ｔ１が接続されている。
【０１４４】
誘電体層１３２〜１３４では、上下に隣接する同じ符号のスルーホール同士が互いに接続されている。
【０１４５】
図１９は、５層目の誘電体層１３５のパターン形成面を示している。誘電体層１３５のパターン形成面には、導体層１３５１，１３５２が形成されている。導体層１３５１，１３５２の各々は、互いに反対側に位置する第１端と第２端を有している。導体層１３５１における第１端の近傍部分には、４層目の誘電体層１３４に形成されたスルーホール１３２Ｔ１が接続されている。導体層１３５２における第１端の近傍部分には、４層目の誘電体層１３４に形成されたスルーホール１３２Ｔ２が接続されている。
【０１４６】
また、誘電体層１３５には、導体層１３５１における第２端の近傍部分に接続されたスルーホール１３５Ｔ１と、導体層１３５２における第２端の近傍部分に接続されたスルーホール１３５Ｔ２とが形成されている。
【０１４７】
誘電体層１３５には、更に、５つのスルーホール列１０７Ｔの一部を構成する５つのスルーホール１０７Ｔ５が形成されている。５つのスルーホール１０７Ｔ５には、４層目の誘電体層１３４に形成された５つのスルーホール１０７Ｔ２が接続されている。
【０１４８】
誘電体層１３５には、更に、複数のスルーホール列１６３Ｔの一部を構成する複数のスルーホール１６３Ｔ５が形成されている。図１９において、スルーホール１３５Ｔ１，１３５Ｔ２，１０７Ｔ５以外の複数の円で表わされた複数のスルーホールは、全てスルーホール１６３Ｔ５である。複数のスルーホール１６３Ｔ５には、４層目の誘電体層１３４に形成された複数のスルーホール１６３Ｔ２が接続されている。
【０１４９】
図２０は、６層目ないし９層目の誘電体層１３６〜１３９のパターン形成面を示している。誘電体層１３６〜１３９の各々には、スルーホール１３６Ｔ１，１３６Ｔ２が形成されている。６層目の誘電体層１３６に形成されたスルーホール１３６Ｔ１，１３６Ｔ２には、それぞれ、図１９に示したスルーホール１３５Ｔ１，１３５Ｔ２が接続されている。
【０１５０】
誘電体層１３６〜１３９の各々には、更に、５つのスルーホール列１０７Ｔの一部を構成する５つのスルーホール１０７Ｔ６が形成されている。６層目の誘電体層１３６に形成された５つのスルーホール１０７Ｔ６には、図１９に示した５つのスルーホール１０７Ｔ５が接続されている。
【０１５１】
誘電体層１３６〜１３９の各々には、更に、複数のスルーホール列１６３Ｔの一部を構成する複数のスルーホール１６３Ｔ６が形成されている。図２０において、スルーホール１３６Ｔ１，１３６Ｔ２，１０７Ｔ６以外の複数の円で表わされた複数のスルーホールは、全てスルーホール１６３Ｔ６である。６層目の誘電体層１３６に形成された複数のスルーホール１６３Ｔ６には、図１９に示した複数のスルーホール１６３Ｔ５が接続されている。
【０１５２】
誘電体層１３６〜１３９では、上下に隣接する同じ符号のスルーホール同士が互いに接続されている。
【０１５３】
図２１は、１０層目の誘電体層１４０のパターン形成面を示している。誘電体層１４０のパターン形成面には、共振器導体部１５１０，１５２０，１５３０，１５４０，１５５０，１５６０，１５７０が形成されている。ここで、図２１および図２５を参照して、共振器導体部１５１０，１５２０，１５３０，１５４０，１５５０，１５６０，１５７０の構成について詳しく説明する。図２５は、共振器導体部１５１０，１５２０，１５３０，１５４０，１５５０，１５６０，１５７０の構成を説明するための説明図である。
【０１５４】
共振器導体部１５１０は、線路の両端である第１端１５１ａおよび第２端１５１ｂを含んでいる。共振器導体部１５２０は、線路の両端である第１端１５２ａおよび第２端１５２ｂを含んでいる。共振器導体部１５３０は、線路の両端である第１端１５３ａおよび第２端１５３ｂを含んでいる。共振器導体部１５４０は、線路の両端である第１端１５４ａおよび第２端１５４ｂを含んでいる。共振器導体部１５５０は、線路の両端である第１端１５５ａおよび第２端１５５ｂを含んでいる。共振器導体部１５６０は、線路の両端である第１端１５６ａおよび第２端１５６ｂを含んでいる。共振器導体部１５７０は、線路の両端である第１端１５７ａおよび第２端１５７ｂを含んでいる。
【０１５５】
図２５には、共振器導体部１５１０，１５２０，１５３０，１５４０，１５５０，１５６０，１５７０のそれぞれについて、第１端と第２端を結ぶ最短経路１５１Ｐ，１５２Ｐ，１５３Ｐ，１５４Ｐ，１５５Ｐ，１５６Ｐ，１５７Ｐを、太線の矢印で示している。各最短経路は、各共振器導体部における最短電流経路に対応する。
【０１５６】
図２１に示したように、共振器導体部１５１０は、細幅部１５１Ａと、細幅部１５１Ａと第１端１５１ａとの間に位置する第１の幅広部１５１Ｂと、細幅部１５１Ａと第２端１５１ｂとの間に位置する第２の幅広部１５１Ｃを含んでいる。本実施の形態では特に、第１の幅広部１５１Ｂは第１端１５１ａを含み、第２の幅広部１５１Ｃは第２端１５１ｂを含んでいる。図２１では、細幅部１５１Ａと第１の幅広部１５１Ｂの境界と、細幅部１５１Ａと第２の幅広部１５１Ｃの境界を、破線で示している。第１の幅広部１５１Ｂの大部分はＸ方向に延び、第２の幅広部１５１Ｃの大部分はＹ方向に延びている。細幅部１５１Ａは、第１の幅広部１５１Ｂにおける第１端１５１ａとは反対側の端部と、第２の幅広部１５１Ｃにおける第２端１５１ｂとは反対側の端部と接続している。細幅部１５１Ａの幅Ｗ１５１Ａは、第１の幅広部１５１ＢのＷ１５１Ｂおよび第２の幅広部１５１Ｃの幅Ｗ１５１Ｃよりも小さい。
【０１５７】
図２１に示したように、共振器導体部１５７０は、細幅部１５７Ａと、細幅部１５７Ａと第１端１５７ａとの間に位置する第１の幅広部１５７Ｂと、細幅部１５７Ａと第２端１５７ｂとの間に位置する第２の幅広部１５７Ｃを含んでいる。本実施の形態では特に、第１の幅広部１５７Ｂは第１端１５７ａを含み、第２の幅広部１５７Ｃは第２端１５７ｂを含んでいる。図２１では、細幅部１５７Ａと第１の幅広部１５７Ｂの境界と、細幅部１５７Ａと第２の幅広部１５７Ｃの境界を、破線で示している。第１の幅広部１５７Ｂの大部分はＸ方向に延び、第２の幅広部１５７Ｃの大部分はＹ方向に延びている。細幅部１５７Ａは、第１の幅広部１５７Ｂにおける第１端１５７ａとは反対側の端部と、第２の幅広部１５７Ｃにおける第２端１５７ｂとは反対側の端部と接続している。細幅部１５７Ａの幅Ｗ１５７Ａは、第１の幅広部１５７ＢのＷ１５７Ｂおよび第２の幅広部１５７Ｃの幅Ｗ１５７Ｃよりも小さい。
【０１５８】
共振器導体部１５１０の第１の部分１５１Ａには、９層目の誘電体層１３９に形成されたスルーホール１３６Ｔ１が接続されている。共振器導体部１５７０の第１の部分１５７Ａには、９層目の誘電体層１３９に形成されたスルーホール１３６Ｔ２が接続されている。
【０１５９】
共振器導体部１５２０，１５６０の各々は、Ｙ方向に延びている。また、共振器導体部１５２０，１５６０は、所定の間隔を開けてＸ方向に隣接している。共振器導体部１５２０，１５６０の間隔は、共振器導体部１５２０，１５６０の各々の長さよりも小さい。
【０１６０】
図２５に示したように、共振器導体部１５２０は、細幅部１５２Ａと、細幅部１５２Ａと第１端１５２ａとの間に位置する第１の幅広部１５２Ｂと、細幅部１５２Ａと第２端１５２ｂとの間に位置する第２の幅広部１５２Ｃと、２つの連結部１５２Ｄ，１５２Ｅとを含んでいる。本実施の形態では特に、第１の幅広部１５２Ｂは第１端５２ａを含み、第２の幅広部１５２Ｃは第２端１５２ｂを含んでいる。連結部１５２Ｄは、細幅部１５２Ａの一端部と、第１の幅広部１５２Ｂにおける第１端１５２ａとは反対側の端部とを接続している。連結部１５２Ｅは、細幅部１５２Ａの他端部と、第２の幅広部１５２Ｃにおける第２端１５２ｂとは反対側の端部とを接続している。図２５では、細幅部１５２Ａと連結部１５２Ｄの境界と、細幅部１５２Ａと連結部１５２Ｅの境界と、第１の幅広部１５２Ｂと連結部１５２Ｄの境界と、第２の幅広部１５２Ｃと連結部１５２Ｅの境界を、破線で示している。第１端１５２ａは、共振器導体部１５１０の第１端１５１ａの近傍に配置されている。
【０１６１】
細幅部１５２Ａの幅Ｗ１５２Ａ、第１の幅広部１５２Ｂの幅Ｗ１５２Ｂおよび第２の幅広部１５２Ｃの幅Ｗ１５２Ｃは、それぞれ、Ｙ方向の位置によらずに一定である。幅Ｗ１５２Ａは、幅Ｗ１５２Ｂ，Ｗ１５２Ｃよりも小さい。幅Ｗ１５２Ｃは、幅Ｗ１５２Ｂよりも大きい。連結部１５２Ｄ，１５２Ｅの各々の幅は、Ｙ方向の位置に応じて変化する。連結部１５２Ｄの幅は、細幅部１５２Ａとの境界位置では細幅部１５２Ａの幅と等しく、第１の幅広部１５２Ｂとの境界位置では第１の幅広部１５２Ｂの幅と等しい。連結部１５２Ｅの幅は、細幅部１５２Ａとの境界位置では細幅部１５２Ａの幅と等しく、第２の幅広部１５２Ｃとの境界位置では第２の幅広部１５２Ｃの幅と等しい。
【０１６２】
図２５に示したように、共振器導体部１５６０は、細幅部１５６Ａと、細幅部１５６Ａと第１端１５６ａとの間に位置する第１の幅広部１５６Ｂと、細幅部１５６Ａと第２端１５６ｂとの間に位置する第２の幅広部１５６Ｃと、２つの連結部１５６Ｄ，１５６Ｅとを含んでいる。本実施の形態では特に、第１の幅広部１５６Ｂは第１端１５６ａを含み、第２の幅広部１５６Ｃは第２端１５６ｂを含んでいる。連結部１５６Ｄは、細幅部１５６Ａの一端部と、第１の幅広部１５６Ｂにおける第１端１５６ａとは反対側の端部とを接続している。連結部１５６Ｅは、細幅部１５６Ａの他端部と、第２の幅広部１５６Ｃにおける第２端１５６ｂとは反対側の端部とを接続している。図２５では、細幅部１５６Ａと連結部１５６Ｄの境界と、細幅部１５６Ａと連結部１５６Ｅの境界と、第１の幅広部１５６Ｂと連結部１５６Ｄの境界と、第２の幅広部１５６Ｃと連結部１５６Ｅの境界を、破線で示している。第１端１５６ａは、共振器導体部１５７０の第１端１５７ａの近傍に配置されている。
【０１６３】
細幅部１５６Ａの幅Ｗ１５６Ａ、第１の幅広部１５６Ｂの幅Ｗ１５６Ｂおよび第２の幅広部１５６Ｃの幅Ｗ１５６Ｃは、それぞれ、Ｙ方向の位置によらずに一定である。幅Ｗ１５６Ａは、幅Ｗ１５６Ｂ，Ｗ１５６Ｃよりも小さい。幅Ｗ１５６Ｃは、幅Ｗ１５６Ｂよりも大きい。連結部１５６Ｄ，１５６Ｅの各々の幅は、Ｙ方向の位置に応じて変化する。連結部１５６Ｄの幅は、細幅部１５６Ａとの境界位置では細幅部１５６Ａの幅と等しく、第１の幅広部１５６Ｂとの境界位置では第１の幅広部１５６Ｂの幅と等しい。連結部１５６Ｅの幅は、細幅部１５６Ａとの境界位置では細幅部１５６Ａの幅と等しく、第２の幅広部１５６Ｃとの境界位置では第２の幅広部１５６Ｃの幅と等しい。
【０１６４】
図２１に示したように、共振器導体部１５３０は、第１の部分１５３Ａと第２の部分１５３Ｂと第３の部分１５３Ｃを含んでいる。第１の部分１５３Ａは第１端１５３ａを含み、第２の部分１５３Ｂは第２端１５３ｂを含んでいる。第１の部分１５３ＡはＸ方向に延び、第２の部分１５３ＢはＹ方向に延びている。第３の部分１５３Ｃは、第１の部分１５３Ａにおける第１端１５３ａとは反対側の端部と、第２の部分１５３Ｂにおける第２端１５３ｂとは反対側の端部と接続している。図２１では、第１の部分１５３Ａと第３の部分１５３Ｃの境界と、第２の部分１５３Ｂと第３の部分１５３Ｃの境界を、破線で示している。第１端１５３ａは、共振器導体部１５２０の第２端１５２ｂの近傍に配置されている。共振器導体部１５３０は、第１端１５３ａと第２端１５３ｂの間において幅Ｗ１５３が一定である。
【０１６５】
図２１に示したように、共振器導体部１５５０は、第１の部分１５５Ａと第２の部分１５５Ｂと第３の部分１５５Ｃを含んでいる。第１の部分１５５Ａは第１端１５５ａを含み、第２の部分１５５Ｂは第２端１５５ｂを含んでいる。第１の部分１５５ＡはＸ方向に延び、第２の部分１５５ＢはＹ方向に延びている。第３の部分１５５Ｃは、第１の部分１５５Ａにおける第１端１５５ａとは反対側の端部と、第２の部分１５５Ｂにおける第２端１５５ｂとは反対側の端部と接続している。図２１では、第１の部分１５５Ａと第３の部分１５５Ｃの境界と、第２の部分１５５Ｂと第３の部分１５５Ｃの境界を、破線で示している。第１端１５５ａは、共振器導体部１５６０の第２端１５６ｂの近傍に配置されている。共振器導体部１５５０は、第１端１５５ａと第２端１５５ｂの間において幅Ｗ１５５が一定である。
【０１６６】
共振器導体部１５３０の第１端１５３ａと共振器導体部１５５０の第１端１５５ａは、所定の間隔を開けて隣接している。
【０１６７】
共振器導体部１５４０は、Ｘ方向に延びている。第１端１５４ａは、共振器導体部１５３０の第２端１５３ｂの近傍に配置されている。第２端１５４ｂは、共振器導体部１５５０の第２端１５５ｂの近傍に配置されている。共振器導体部１５４０は、第１端１５４ａと第２端１５４ｂの間において幅Ｗ１５４が一定である。
【０１６８】
次に、図２１を参照して、共振器導体部１５１０，１５２０，１５３０，１５４０，１５５０，１５６０，１５７０以外の、誘電体層１４０に形成された構成要素について説明する。誘電体層１４０のパターン形成面には、仕切り部１０７の一部を構成する導体層１０７Ｃと、導体層１４０１が形成されている。導体層１０７Ｃは、共振器導体部１５２０と共振器導体部１５５０の間に位置して、Ｙ方向に延びている。導体層１４０１は、Ｘ方向に延びている。また、導体層１４０１は、長手方向の中央の近傍の部分において、導体層１０７Ｃの一端部に接続されている。図２１では、導体層１０７Ｃと導体層１４０１の境界を、破線で示している。
【０１６９】
また、誘電体層１４０には、５つのスルーホール列１０７Ｔの一部を構成する５つのスルーホール１０７Ｔ１０が形成されている。５つのスルーホール１０７Ｔ１０は、導体層１０７Ｃに接続されている。また、５つのスルーホール１０７Ｔ１０には、９層目の誘電体層１３９に形成された５つのスルーホール１０７Ｔ６が接続されている。
【０１７０】
誘電体層１４０には、更に、複数のスルーホール列１６３Ｔの一部を構成する複数のスルーホール１６３Ｔ１０が形成されている。図２１において、スルーホール１０７Ｔ１０以外の複数の円で表わされた複数のスルーホールは、全てスルーホール１６３Ｔ１０である。複数のスルーホール１６３Ｔ１０には、９層目の誘電体層１３９に形成された複数のスルーホール１６３Ｔ６が接続されている。
【０１７１】
図２２は、１１層目の誘電体層１４１のパターン形成面を示している。誘電体層１４１のパターン形成面には、それぞれ図１６に示したキャパシタＣ１１２，Ｃ１２３，Ｃ１３４，Ｃ１４５，Ｃ１５６，Ｃ１６７を構成するための導体層１４１１，１４１２，１４１３，１４１４，１４１５，１４１６が形成されている。
【０１７２】
また、誘電体層１４１には、５つのスルーホール列１０７Ｔの一部を構成する５つのスルーホール１０７Ｔ１１が形成されている。５つのスルーホール１０７Ｔ１１には、図２１に示した５つのスルーホール１０７Ｔ１０が接続されている。
【０１７３】
誘電体層１４１には、更に、複数のスルーホール列１６３Ｔの一部を構成する複数のスルーホール１６３Ｔ１１が形成されている。図２２において、スルーホール１０７Ｔ１１以外の複数の円で表わされた複数のスルーホールは、全てスルーホール１６３Ｔ１１である。複数のスルーホール１６３Ｔ１１には、図２１に示した複数のスルーホール１６３Ｔ１０が接続されている。
【０１７４】
図２３は、１２層目ないし１８層目の誘電体層１４２〜１４８のパターン形成面を示している。誘電体層１４２〜１４８の各々には、５つのスルーホール列１０７Ｔの一部を構成する５つのスルーホール１０７Ｔ１２が形成されている。１２層目の誘電体層１４２に形成された５つのスルーホール１０７Ｔ１２には、図２２に示した５つのスルーホール１０７Ｔ１１が接続されている。
【０１７５】
誘電体層１４２〜１４８の各々には、更に、複数のスルーホール列１６３Ｔの一部を構成する複数のスルーホール１６３Ｔ１２が形成されている。図２３において、スルーホール１０７Ｔ１２以外の複数の円で表わされた複数のスルーホールは、全てスルーホール１６３Ｔ１２である。１２層目の誘電体層１４２に形成された複数のスルーホール１６３Ｔ１２には、図２２に示した複数のスルーホール１６３Ｔ１１が接続されている。
【０１７６】
誘電体層１４２〜１４８では、上下に隣接する同じ符号のスルーホール同士が互いに接続されている。
【０１７７】
図２４は、１９層目の誘電体層１４９のパターン形成面を示している。誘電体層１４９のパターン形成面には、シールド６の第２の部分６２を構成する第２の導体層１４９１が形成されている。第２の導体層１４９１には、１８層目の誘電体層１４８に形成されたスルーホール１０７Ｔ１２，１６３Ｔ１２が接続されている。
【０１７８】
本実施の形態に係るバンドパスフィルタ１００は、１層目の誘電体層１３１のパターン形成面が本体２の第１の端面２Ａになるように、１層目ないし１９層目の誘電体層１３１〜１４９が積層されて構成される。１９層目の誘電体層１４９におけるパターン形成面とは反対側の面は、本体２の第２の端面２Ｂになる。１層目ないし１９層目の誘電体層１３１〜１４９は、積層体２０を構成する。
【０１７９】
共振器１５１〜１５７のそれぞれの共振器導体部１５１０，１５２０，１５３０，１５４０，１５５０，１５６０，１５７０は、Ｚ方向に関して、積層体２０内の同じ位置に配置されている。
【０１８０】
第１の入出力ポート３を構成する導体層１３１１は、スルーホール１３１Ｔ１，１３２Ｔ１、導体層１３５１およびスルーホール１３５Ｔ１，１３６Ｔ１を介して、図２１に示した共振器導体部１５１０の第１の部分１５１Ａに接続されている。
【０１８１】
第２の入出力ポート４を構成する導体層１３１２は、スルーホール１３１Ｔ２，１３２Ｔ２、導体層１３５２およびスルーホール１３５Ｔ２，１３６Ｔ２を介して、図２１に示した共振器導体部１５７０の第１の部分１５７Ａに接続されている。
【０１８２】
図２２に示した導体層１４１１は、誘電体層１４０を介して、共振器導体部１５１０における第１端１５１ａの近傍部分と、共振器導体部１５２０における第１端１５２ａの近傍部分とに対向している。図１６に示したキャパシタＣ１１２は、導体層１４１１と、共振器導体部１５１０，１５２０と、これらの間の誘電体層１４０とによって構成されている。
【０１８３】
図２２に示した導体層１４１２は、誘電体層１４０を介して、共振器導体部１５２０における第２端１５２ｂの近傍部分と、共振器導体部１５３０における第１端１５３ａの近傍部分とに対向している。図１６に示したキャパシタＣ１２３は、導体層１４１２と、共振器導体部１５２０，１５３０と、これらの間の誘電体層１４０とによって構成されている。
【０１８４】
図２２に示した導体層１４１３は、誘電体層１４０を介して、共振器導体部１５３０における第２端１５３ｂの近傍部分と、共振器導体部１５４０における第１端１５４ａの近傍部分とに対向している。図１６に示したキャパシタＣ１３４は、導体層１４１３と、共振器導体部１５３０，１５４０と、これらの間の誘電体層１４０とによって構成されている。
【０１８５】
図２２に示した導体層１４１４は、誘電体層１４０を介して、共振器導体部１５４０における第２端１５４ｂの近傍部分と、共振器導体部１５５０における第２端１５５ｂの近傍部分とに対向している。図１６に示したキャパシタＣ１４５は、導体層１４１４と、共振器導体部１５４０，１５５０と、これらの間の誘電体層１４０とによって構成されている。
【０１８６】
図２２に示した導体層１４１５は、誘電体層１４０を介して、共振器導体部１５５０における第１端１５５ａの近傍部分と、共振器導体部１５６０における第２端１５６ｂの近傍部分とに対向している。図１６に示したキャパシタＣ１５６は、導体層１４１５と、共振器導体部１５５０，１５６０と、これらの間の誘電体層１４０とによって構成されている。
【０１８７】
図２２に示した導体層１４１６は、誘電体層１４０を介して、共振器導体部１５６０における第１端１５６ａの近傍部分と、共振器導体部１５７０における第１端１５７ａの近傍部分とに対向している。図１６に示したキャパシタＣ１６７は、導体層１４１６と、共振器導体部１５６０，１５７０と、これらの間の誘電体層１４０とによって構成されている。
【０１８８】
仕切り部１０７の５つのスルーホール列１０７Ｔの各々は、スルーホール１０７Ｔ１，１０７Ｔ２，１０７Ｔ５，１０７Ｔ６，１０７Ｔ１０，１０７Ｔ１１，１０７Ｔ１２が、Ｚ方向に直列に接続されることによって構成されている。
【０１８９】
図１７ないし図２４に示した例では、仕切り部１０７は、共振器導体部１５２０と共振器導体部１５６０の間を通過するように延びて、第１の部分６１と第２の部分６２とに接している。
【０１９０】
接続部１６３の複数のスルーホール列１６３Ｔの各々は、スルーホール１６３Ｔ１，１６３Ｔ２，１６３Ｔ５，１６３Ｔ６，１６３Ｔ１０，１６３Ｔ１１，１６３Ｔ１２が、Ｚ方向に直列に接続されることによって構成されている。
【０１９１】
本実施の形態では、ｎは、５以上の整数、特に７である。また、本実施の形態では、４段目の共振器１５４が中央共振器である。また、本実施の形態では、ｎ個の共振器は、第１の共振器と第２の共振器の第１の対と、第１の共振器と第２の共振器の第２の対を含んでいる。第１の対の第１の共振器は、１段目の共振器１５１である。第１の対の第２の共振器は、ｎ段目すなわち７段目の共振器１５７である。第２の対の第１の共振器は、２段目の共振器１５２である。第２の対の第２の共振器は、ｎ−１段目すなわち６段目の共振器１５６である。共振器導体部１５１０，１５２０は第１の共振器導体部に対応し、共振器導体部１５６０，１５７０は第２の共振器導体部に対応する。
【０１９２】
また、本実施の形態では、第３の共振器は３つ存在し、３段目ないし５段目の共振器１５３，１５４，１５５が第３の共振器である。共振器導体部１５３０，１５４０，１５５０は第３の共振器導体部に対応する。
【０１９３】
前述の通り、共振器導体部１５１０，１５２０，１５６０，１５７０の各々は、細幅部と第１の幅広部と第２の幅広部を含んでいる。従って、共振器１５１，１５２，１５６，１５７は、ＳＩＲである。
【０１９４】
共振器導体部１５３０，１５４０，１５５０の各々は、第１端における幅および第２端における幅よりも小さい幅を有する部分を含まない。本実施の形態では特に、共振器導体部１５３０，１５４０，１５５０の各々は、第１端と第２端の間において幅が一定である。共振器１５３，１５４，１５５は、ＳＩＲではない。
【０１９５】
共振器１５１，１５２，１５６，１５７の各々は、共振器１５３，１５４，１５５よりも無負荷Ｑが小さい。
【０１９６】
また、共振器導体部１５２０，１５６０の最短経路１５２Ｐ，１５６Ｐの各々は、共振器導体部１５３０，１５４０，１５５０の最短経路１５３Ｐ，１５４Ｐ，１５５Ｐよりも短い。
【０１９７】
本実施の形態によれば、ＳＩＲにした共振器１５１，１５２，１５６，１５７を小型化できることから、バンドパスフィルタ１００を小型化することが可能になる。また、本実施の形態によれば、共振器１５１，１５２，１５６，１５７のみをＳＩＲにしているため、バンドパスフィルタ１００の挿入損失の増加を抑制することができる。
【０１９８】
ここで、本実施の形態における共振器１５１〜１５７の無負荷Ｑの一例を示す。この例では、１段目と７段目の共振器１５１，１５７の無負荷Ｑは１８２である。２段目と６段目の共振器１５２，１５６の無負荷Ｑは２０６であり、３段目と５段目の共振器１５３，１５５の無負荷Ｑは２３５である。４段目の共振器１５４の無負荷Ｑは２４７である。従って、この例では、１段目、２段目、６段目および７段目の共振器１５１，１５２，１５６，１５７の各々は、３段目ないし５段目の共振器１５３〜１５５よりも無負荷Ｑが小さい。
【０１９９】
次に、本実施の形態に係るバンドパスフィルタ１００に関するシミュレーションの結果について説明する。このシミュレーションでは、バンドパスフィルタ１００の第１ないし第４のモデルについて、挿入損失の周波数特性を求めた。第１ないし第４のモデルでは、共振器１５１〜１５７の無負荷Ｑの組み合わせが異なる。
【０２００】
第１のモデルでは、共振器１５１〜１５７の無負荷Ｑは全て２００である。第２のモデルでは、共振器１５１，１５７の無負荷Ｑは１００であり、共振器１５２〜１５６の無負荷Ｑは２００である。第３のモデルでは、共振器１５２，１５６の無負荷Ｑは１００であり、共振器１５１，１５３，１５４，１５５，１５７の無負荷Ｑは２００である。第４のモデルでは、共振器１５３，１５５の無負荷Ｑは１００であり、共振器１５１，１５２，１５４，１５６，１５７の無負荷Ｑは２００である。
【０２０１】
図２６は、第１ないし第４のモデルの挿入損失の周波数特性を示している。図２７は、図２６の一部を拡大して示している。図２６および図２７において、横軸は周波数を示し、縦軸は挿入損失を示している。図２７において、第１、第２、第３および第４のモデルの特性を、それぞれ符号１７１，１７２，１７３，１７４を付した曲線で示している。
【０２０２】
第１ないし第４のモデルの通過帯域の中心周波数は、約２６ＧＨｚである。図２７に示したように、第２ないし第４のモデルでは、第１のモデルに比べて、通過帯域の中心周波数における挿入損失が大きくなっている。第２ないし第４のモデルで、通過帯域の中心周波数における挿入損失を比較すると、第２のモデルの挿入損失が最も小さく、次に第３のモデルの挿入損失が小さい。このことから、回路構成上、第１の入出力ポート３または第２の入出力ポート４に近い共振器ほど、無負荷Ｑの変化量に対する挿入損失の変化量の比が小さいことが分かる。従って、一部の共振器のみをＳＩＲにする場合、中央共振器あるいは、回路構成上中央共振器に近い共振器をＳＩＲにするよりも、第１の入出力ポート３または第２の入出力ポート４に近い共振器をＳＩＲにした方が、挿入損失の増加量を小さくすることができる。
【０２０３】
図２８は、本実施の形態に係るバンドパスフィルタ１００の挿入損失および反射損失の周波数特性の一例を示している。図２８において、横軸は周波数を示し、縦軸は減衰量を示している。図２８では、挿入損失の周波数特性を、符号１８１ＩＬを付した曲線で示し、反射損失の周波数特性を、符号１８１ＲＬを付した曲線で示している。
【０２０４】
本実施の形態におけるその他の構成、作用および効果は、第１の実施の形態と同様である。
【０２０５】
なお、本発明は、上記各実施の形態に限定されず、種々の変更が可能である。例えば、共振器の数や構成は、各実施の形態に示したものに限らず、特許請求の範囲を満たすものであればよい。
【符号の説明】
【０２０６】
１…バンドパスフィルタ、２…本体、３…第１の入出力ポート、４…第２の入出力ポート、２０…積層体、５１，５２，５３，５４，５５，５６…共振器、５１０，５２０，５３０，５４０，５５０，５６０…共振器導体部。
【図１】
2020057920.tif 000003
【図２】
2020057920.tif 000004
【図３】
2020057920.tif 000005
【図４】
2020057920.tif 000006
【図５】
2020057920.tif 000007
【図６】
2020057920.tif 000008
【図７】
2020057920.tif 000009
【図８】
2020057920.tif 000010
【図９】
2020057920.tif 000011
【図１０】
2020057920.tif 000012
【図１１】
2020057920.tif 000013
【図１２】
2020057920.tif 000014
【図１３】
2020057920.tif 000015
【図１４】
2020057920.tif 000016
【図１５】
2020057920.tif 000017
【図１６】
2020057920.tif 000018
【図１７】
2020057920.tif 000019
【図１８】
2020057920.tif 000020
【図１９】
2020057920.tif 000021
【図２０】
2020057920.tif 000022
【図２１】
2020057920.tif 000023
【図２２】
2020057920.tif 000024
【図２３】
2020057920.tif 000025
【図２４】
2020057920.tif 000026
【図２５】
2020057920.tif 000027
【図２６】
2020057920.tif 000028
【図２７】
2020057920.tif 000029
【図２８】
2020057920.tif 000030
【手続補正書】
【提出日】令和1年8月28日(2019.8.28)
【手続補正１】
【補正対象書類名】明細書
【補正対象項目名】００１９
【補正方法】変更
【補正の内容】
【００１９】
【図１】本発明の第１の実施の形態に係るバンドパスフィルタの構造を示す斜視図である。
【図２】本発明の第１の実施の形態に係るバンドパスフィルタの回路構成を示す回路図である。
【図３】図１に示した積層体における１層目の誘電体層のパターン形成面を示す説明図である。
【図４】図１に示した積層体における２層目および３層目の誘電体層のパターン形成面を示す説明図である。
【図５】図１に示した積層体における４層目の誘電体層のパターン形成面を示す説明図である。
【図６】図１に示した積層体における５層目ないし８層目の誘電体層のパターン形成面を示す説明図である。
【図７】図１に示した積層体における９層目の誘電体層のパターン形成面を示す説明図である。
【図８】図１に示した積層体における１０層目の誘電体層のパターン形成面を示す説明図である。
【図９】図１に示した積層体における１１層目ないし１８層目の誘電体層のパターン形成面を示す説明図である。
【図１０】図１に示した積層体における１９層目の誘電体層のパターン形成面を示す説明図である。
【図１１】本発明の第１の実施の形態における複数の共振器導体部の構成を説明するための説明図である。
【図１２】本発明の第１の実施の形態に係るバンドパスフィルタに関するシミュレーションの結果を示す特性図である。
【図１３】図１２の一部を拡大して示す特性図である。
【図１４】本発明の第１の実施の形態に係るバンドパスフィルタの挿入損失および反射損失の周波数特性の一例を示す特性図である。
【図１５】本発明の第２の実施の形態に係るバンドパスフィルタの構造を示す斜視図である。
【図１６】本発明の第２の実施の形態に係るバンドパスフィルタの回路構成を示す回路図である。
【図１７】図１５に示した積層体における１層目の誘電体層のパターン形成面を示す説明図である。
【図１８】図１５に示した積層体における２層目ないし４層目の誘電体層のパターン形成面を示す説明図である。
【図１９】図１５に示した積層体における５層目の誘電体層のパターン形成面を示す説明図である。
【図２０】図１５に示した積層体における６層目ないし９層目の誘電体層のパターン形成面を示す説明図である。
【図２１】図１５に示した積層体における１０層目の誘電体層のパターン形成面を示す説明図である。
【図２２】図１５に示した積層体における１１層目の誘電体層のパターン形成面を示す説明図である。
【図２３】図１５に示した積層体における１２層目ないし１８層目の誘電体層のパターン形成面を示す説明図である。
【図２４】図１５に示した積層体における１９層目の誘電体層のパターン形成面を示す説明図である。
【図２５】本発明の第２の実施の形態における複数の共振器導体部の構成を説明するための説明図である。
【図２６】本発明の第２の実施の形態に係るバンドパスフィルタに関するシミュレーションの結果を示す特性図である。
【図２７】図２６の一部を拡大して示す特性図である。
【図２８】本発明の第２の実施の形態に係るバンドパスフィルタの挿入損失および反射損失の周波数特性の一例を示す特性図である。
【手続補正２】
【補正対象書類名】明細書
【補正対象項目名】００６４
【補正方法】変更
【補正の内容】
【００６４】
図８は、１０層目の誘電体層４０のパターン形成面を示している。誘電体層４０のパターン形成面には、共振器導体部５１０，５２０，５３０，５４０，５５０，５６０が形成されている。ここで、図８および図１１を参照して、共振器導体部５１０，５２０，５３０，５４０，５５０，５６０の構成について詳しく説明する。図１１は、共振器導体部５１０，５２０，５３０，５４０，５５０，５６０の構成を説明するための説明図である。
【手続補正３】
【補正対象書類名】明細書
【補正対象項目名】００８４
【補正方法】変更
【補正の内容】
【００８４】
誘電体層４１〜４８の各々には、更に、複数のスルーホール列６３Ｔの一部を構成する複数のスルーホール６３Ｔ１１が形成されている。図９において、スルーホール７Ｔ１１，８Ｔ１１以外の複数の円で表わされた複数のスルーホールは、全てスルーホール６３Ｔ１１である。１１層目の誘電体層４１に形成された複数のスルーホール６３Ｔ１１には、図８に示した複数のスルーホール６３Ｔ１０が接続されている。
【手続補正４】
【補正対象書類名】明細書
【補正対象項目名】０１５８
【補正方法】変更
【補正の内容】
【０１５８】
共振器導体部１５１０の細幅部１５１Ａには、９層目の誘電体層１３９に形成されたスルーホール１３６Ｔ１が接続されている。共振器導体部１５７０の細幅部１５７Ａには、９層目の誘電体層１３９に形成されたスルーホール１３６Ｔ２が接続されている。
【手続補正５】
【補正対象書類名】明細書
【補正対象項目名】０１６０
【補正方法】変更
【補正の内容】
【０１６０】
図２５に示したように、共振器導体部１５２０は、細幅部１５２Ａと、細幅部１５２Ａと第１端１５２ａとの間に位置する第１の幅広部１５２Ｂと、細幅部１５２Ａと第２端１５２ｂとの間に位置する第２の幅広部１５２Ｃと、２つの連結部１５２Ｄ，１５２Ｅとを含んでいる。本実施の形態では特に、第１の幅広部１５２Ｂは第１端１５２ａを含み、第２の幅広部１５２Ｃは第２端１５２ｂを含んでいる。連結部１５２Ｄは、細幅部１５２Ａの一端部と、第１の幅広部１５２Ｂにおける第１端１５２ａとは反対側の端部とを接続している。連結部１５２Ｅは、細幅部１５２Ａの他端部と、第２の幅広部１５２Ｃにおける第２端１５２ｂとは反対側の端部とを接続している。図２５では、細幅部１５２Ａと連結部１５２Ｄの境界と、細幅部１５２Ａと連結部１５２Ｅの境界と、第１の幅広部１５２Ｂと連結部１５２Ｄの境界と、第２の幅広部１５２Ｃと連結部１５２Ｅの境界を、破線で示している。第１端１５２ａは、共振器導体部１５１０の第１端１５１ａの近傍に配置されている。
【手続補正６】
【補正対象書類名】明細書
【補正対象項目名】０１８０
【補正方法】変更
【補正の内容】
【０１８０】
第１の入出力ポート３を構成する導体層１３１１は、スルーホール１３１Ｔ１，１３２Ｔ１、導体層１３５１およびスルーホール１３５Ｔ１，１３６Ｔ１を介して、図２１に示した共振器導体部１５１０の細幅部１５１Ａに接続されている。
【手続補正７】
【補正対象書類名】明細書
【補正対象項目名】０１８１
【補正方法】変更
【補正の内容】
【０１８１】
第２の入出力ポート４を構成する導体層１３１２は、スルーホール１３１Ｔ２，１３２Ｔ２、導体層１３５２およびスルーホール１３５Ｔ２，１３６Ｔ２を介して、図２１に示した共振器導体部１５７０の細幅部１５７Ａに接続されている。
【手続補正８】
【補正対象書類名】明細書
【補正対象項目名】０１９０
【補正方法】変更
【補正の内容】
【０１９０】
接続部６３の複数のスルーホール列１６３Ｔの各々は、スルーホール１６３Ｔ１，１６３Ｔ２，１６３Ｔ５，１６３Ｔ６，１６３Ｔ１０，１６３Ｔ１１，１６３Ｔ１２が、Ｚ方向に直列に接続されることによって構成されている。